(57)【要約】  拡張コンポーネントキャリア（ｅＣＣ）セカンダリセル（ＳＣｅｌｌ）を用いた半永続的スケジューリング（ＳＰＳ）および間欠受信（ＤＲＸ）動作のための更新されたメディアアクセス制御（ＭＡＣ）動作が開示される。ＳＰＳ動作の場合、プライマリセル（ＰＣｅｌｌ）上のＳＰＳ動作から別個であり独立しているｅＣＣ  ＳＣｅｌｌ上のＳＰＳ動作が定義され、モニタされる。ｅＣＣ  ＳＣｅｌｌ  ＳＰＳ動作は、ＰＣｅｌｌのためのネットワーク識別子または特にｅＣＣ  ＳＣｅｌｌ  ＳＰＳ動作のための新たに定義されたネットワーク識別子のいずれかを使用して識別され得る。ＤＲＸ動作の場合、ｅＣＣ  ＳＣｅｌｌのためのＤＲＸ動作が、ＰＣｅｌｌのＤＲＸ動作から別個で独立したタイマーを用いて定義される。【選択図】図７
2017536036.tif 000002
【特許請求の範囲】
【請求項１】
ワイヤレス通信の方法であって、
ユーザ機器（ＵＥ）において基地局から、前記ＵＥのために構成されたプライマリセル（ＰＣｅｌｌ）上のプライマリ半永続的スケジューリング（ＳＰＳ）動作のためのプライマリＳＰＳネットワーク識別子の構成を受信することと、
前記ＵＥにおいて前記基地局から、前記ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信すること、ここにおいて、前記セカンダリＳＰＳ動作が前記プライマリＳＰＳ動作とは独立している、と、
前記ＵＥによって、前記プライマリＳＰＳネットワーク識別子を使用して、前記プライマリＳＰＳ動作に関連する１つまたは複数のプライマリＳＰＳ許可をモニタすることと、
前記ＵＥによって、前記セカンダリＳＰＳネットワーク識別子を使用して、前記セカンダリＳＰＳ動作に関連する１つまたは複数のセカンダリＳＰＳ許可をモニタすることと
を備える、方法。
【請求項２】
前記ｅＣＣセカンダリセルの送信時間間隔（ＴＴＩ）は、前記ＰＣｅｌｌの前記ＴＴＩよりも短い、
請求項１に記載の方法。
【請求項３】
前記セカンダリＳＰＳネットワーク識別子は、前記プライマリＳＰＳネットワーク識別子を備え、１つまたは複数のセカンダリＳＰＳ許可を前記モニタすることは、
前記プライマリＳＰＳネットワーク識別子に基づいて、前記１つまたは複数のセカンダリＳＰＳ許可をＳＰＳ許可として識別することと、
前記１つまたは複数のセカンダリＳＰＳ許可が前記ｅＣＣ  ＳＣｅｌｌのために構成されることに基づいて、前記１つまたは複数のセカンダリＳＰＳ許可を、前記セカンダリＳＰＳ動作に関連するとして識別することと
を含む、請求項１に記載の方法。
【請求項４】
前記ＵＥにおいて前記基地局から、前記ｅＣＣ  ＳＣｅｌｌの１つまたは複数のサブフレームに関連するインジケーションを受信すること、ここにおいて、前記インジケーションは、前記１つまたは複数のサブフレームの方向性割振りを動的に切り替える、と、
前記ＵＥによって、前記１つまたは複数のサブフレームについて前記セカンダリＳＰＳ動作を中断することと
をさらに備える、請求項１に記載の方法。
【請求項５】
前記インジケーションを受信することから、前記ｅＣＣ  ＳＣｅｌｌの単一の送信時間間隔（ＴＴＩ）の後、前記ＵＥによって前記セカンダリＳＰＳ動作を復帰させることをさらに備える、
請求項４に記載の方法。
【請求項６】
前記１つまたは複数のセカンダリＳＰＳ許可のうちの１つまたは複数は、２つのステージの許可を備え、第１のステージの許可は、ＳＰＳ構成情報を含み、第２のステージの許可は、ＳＰＳ動作のためのリソースの割振りを含む、
請求項１に記載の方法。
【請求項７】
前記第２のステージの許可に基づいて、前記１つまたは複数のセカンダリＳＰＳ許可のうちの前記１つまたは複数のアクティブ化状態を決定することと、
前記第１のステージの許可に基づいて、アクティブ化されたＳＰＳ許可の１つまたは複数のパラメータへの変更を決定することと
のうちの１つまたは複数をさらに備える、請求項６に記載の方法。
【請求項８】
前記ＵＥによって、前記ＵＥのアップリンクデータバッファが空であると決定することと、
前記決定することに応答して、前記ＵＥによって、前記基地局に空バッファインジケーションを送信することと、
前記ＵＥにおいて、前記基地局から非アクティブ化信号を受信すること、ここにおいて、前記非アクティブ化信号は、前記セカンダリＳＰＳ動作を非アクティブ化する、と
をさらに備える、請求項１に記載の方法。
【請求項９】
前記送信することは、
前記ＵＥによる送信のための競合ベースアップリンクリソースを識別することと、
前記ＵＥによって、前記識別された競合ベースアップリンクリソースを使用して、前記空バッファインジケーションを自律的に送信することと
を含む、請求項８に記載の方法。
【請求項１０】
ワイヤレス通信の方法であって、
ユーザ機器（ＵＥ）によって、前記ＵＥのために構成されたプライマリセル（ＰＣｅｌｌ）に関連するプライマリ間欠受信（ＤＲＸ）サイクルのプライマリスリープ期間に入ること、ここにおいて、前記プライマリスリープ期間は、前記ＵＥを、前記ＰＣｅｌｌをモニタすることを停止するようにトリガする、と、
前記ＵＥによって、前記ＵＥのために構成された拡張コンポーネントキャリア（ｅＣＣ）セカンダリセル（ＳＣｅｌｌ）に関連するセカンダリＤＲＸサイクルのセカンダリスリープ期間に入ること、
ここにおいて、前記セカンダリスリープ期間が、前記ＵＥを、前記ｅＣＣ  ＳＣｅｌｌをモニタすることを停止するようにトリガする、
ここにおいて、前記セカンダリＤＲＸサイクルが、前記プライマリＤＲＸサイクルから独立しており、
ここにおいて、前記セカンダリスリープ期間が、前記プライマリスリープ期間とは異なる持続時間のものである、と、
前記ＵＥによって、前記プライマリスリープ期間の後、前記ＰＣｅｌｌ上の、および前記セカンダリスリープ期間の後、前記ｅＣＣ  ＳＣｅｌｌ上のダウンリンク制御チャネルをアクティブにモニタすることと、
前記ＵＥによって、前記ＰＣｅｌｌ上の動作のための前記ｅＣＣ  ＳＣｅｌｌの前記ダウンリンク制御チャネル上で制御要素を受信することと、
前記ＵＥによって、前記ｅＣＣ  ＳＣｅｌｌの前記ダウンリンク制御チャネル上で受信された前記制御要素に基づいて、前記ＰＣｅｌｌおよび１つまたは複数のＳＣｅｌｌのうちの１つまたは複数に関連する動作を実行することと
を備える、方法。
【請求項１１】
前記ダウンリンク制御チャネルは、メディアアクセス制御（ＭＡＣ）レイヤチャネル、または物理レイヤチャネルのうちの１つを含む、
請求項１０に記載の方法。
【請求項１２】
ワイヤレス通信のために構成された装置であって、
ユーザ機器（ＵＥ）において基地局から、前記ＵＥのために構成されたプライマリセル（ＰＣｅｌｌ）上のプライマリ半永続的スケジューリング（ＳＰＳ）動作のためのプライマリＳＰＳネットワーク識別子の構成を受信するための手段と、
前記ＵＥにおいて前記基地局から、前記ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信するための手段、ここにおいて、前記セカンダリＳＰＳ動作が前記プライマリＳＰＳ動作とは独立している、と、
前記ＵＥによって、前記プライマリＳＰＳネットワーク識別子を使用して、前記プライマリＳＰＳ動作に関連する１つまたは複数のプライマリＳＰＳ許可をモニタするための手段と、
前記ＵＥによって、前記セカンダリＳＰＳネットワーク識別子を使用して、前記セカンダリＳＰＳ動作に関連する１つまたは複数のセカンダリＳＰＳ許可をモニタするための手段と
を備える、装置。
【請求項１３】
前記ｅＣＣセカンダリセルの送信時間間隔（ＴＴＩ）が、前記ＰＣｅｌｌの前記ＴＴＩよりも短い、
請求項１２に記載の装置。
【請求項１４】
前記セカンダリＳＰＳネットワーク識別子は、前記プライマリＳＰＳネットワーク識別子を備え、１つまたは複数のセカンダリＳＰＳ許可を前記モニタするための手段は、
前記プライマリＳＰＳネットワーク識別子に基づいて、前記１つまたは複数のセカンダリＳＰＳ許可をＳＰＳ許可として識別するための手段と、
前記１つまたは複数のセカンダリＳＰＳ許可が前記ｅＣＣ  ＳＣｅｌｌのために構成されることに基づいて、前記１つまたは複数のセカンダリＳＰＳ許可を、前記セカンダリＳＰＳ動作に関連するとして識別するための手段と
を含む、請求項１２に記載の装置。
【請求項１５】
前記ＵＥにおいて前記基地局から、前記ｅＣＣ  ＳＣｅｌｌの１つまたは複数のサブフレームに関連するインジケーションを受信するための手段、ここにおいて、前記インジケーションは、前記１つまたは複数のサブフレームの方向性割振りを動的に切り替える、と、
前記ＵＥによって、前記１つまたは複数のサブフレームについて前記セカンダリＳＰＳ動作を中断するための手段と
をさらに備える、請求項１２に記載の装置。
【請求項１６】
前記インジケーションを受信することから、前記ｅＣＣ  ＳＣｅｌｌの単一の送信時間間隔（ＴＴＩ）の後、前記ＵＥによって前記セカンダリＳＰＳ動作を復帰させるための手段をさらに備える、
請求項１５に記載の装置。
【請求項１７】
前記１つまたは複数のセカンダリＳＰＳ許可のうちの１つまたは複数は、２つのステージの許可を備え、ここにおいて、第１のステージの許可は、ＳＰＳ構成情報を含み、第２のステージの許可は、ＳＰＳ動作のためのリソースの割振りを含む、
請求項１２に記載の装置。
【請求項１８】
前記第２のステージの許可に基づいて、前記１つまたは複数のセカンダリＳＰＳ許可のうちの前記１つまたは複数のアクティブ化状態を決定するための手段と、
前記第１のステージの許可に基づいて、アクティブ化されたＳＰＳ許可の１つまたは複数のパラメータへの変更を決定するための手段と
のうちの１つまたは複数をさらに備える、請求項１７に記載の装置。
【請求項１９】
前記ＵＥによって、前記ＵＥのアップリンクデータバッファが空であると決定するための手段と、
前記決定するための手段に応答して、前記ＵＥによって、前記基地局に空バッファインジケーションを送信するための手段と、
前記ＵＥにおいて、前記基地局から非アクティブ化信号を受信するための手段、ここにおいて、前記非アクティブ化信号が、前記セカンダリＳＰＳ動作を非アクティブ化する、と、
をさらに備える、請求項１２に記載の装置。
【請求項２０】
前記送信するための手段は、
前記ＵＥによる送信のための競合ベースアップリンクリソースを識別するための手段と、
前記ＵＥによって、前記識別された競合ベースアップリンクリソースを使用して、前記空バッファインジケーションを自律的に送信するための手段と
を含む、請求項１９に記載の装置。
【請求項２１】
ワイヤレス通信のために構成された装置であって、前記装置は、
少なくとも１つのプロセッサと、
前記少なくとも１つのプロセッサに結合されたメモリと
を備え、
前記少なくとも１つのプロセッサは、
ユーザ機器（ＵＥ）において基地局から、前記ＵＥのために構成されたプライマリセル（ＰＣｅｌｌ）上のプライマリ半永続的スケジューリング（ＳＰＳ）動作のためのプライマリＳＰＳネットワーク識別子の構成を受信することと、
前記ＵＥにおいて前記基地局から、前記ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信すること、ここにおいて、前記セカンダリＳＰＳ動作は、前記プライマリＳＰＳ動作とは独立している、と、
前記ＵＥによって、前記プライマリＳＰＳネットワーク識別子を使用して、前記プライマリＳＰＳ動作に関連する１つまたは複数のプライマリＳＰＳ許可をモニタすることと、
前記ＵＥによって、前記セカンダリＳＰＳネットワーク識別子を使用して、前記セカンダリＳＰＳ動作に関連する１つまたは複数のセカンダリＳＰＳ許可をモニタすることと
を行うように構成された、装置。
【請求項２２】
前記ｅＣＣセカンダリセルの前記送信時間間隔（ＴＴＩ）は、前記ＰＣｅｌｌの前記ＴＴＩよりも短い、
請求項２１に記載の装置。
【請求項２３】
前記セカンダリＳＰＳネットワーク識別子は、前記プライマリＳＰＳネットワーク識別子を備え、前記コンピュータに１つまたは複数のセカンダリＳＰＳ許可をモニタさせるためのプログラムコードは、
前記プライマリＳＰＳネットワーク識別子に基づいて、前記１つまたは複数のセカンダリＳＰＳ許可をＳＰＳ許可として識別することと、
前記１つまたは複数のセカンダリＳＰＳ許可が前記ｅＣＣ  ＳＣｅｌｌのために構成されることに基づいて、前記１つまたは複数のセカンダリＳＰＳ許可を、前記セカンダリＳＰＳ動作に関連するとして識別することと
を行うための前記少なくとも１つのプロセッサの構成を含む、請求項２１に記載の装置。
【請求項２４】
前記ＵＥにおいて前記基地局からの、前記ｅＣＣ  ＳＣｅｌｌの１つまたは複数のサブフレームに関連するインジケーションを受信すること、ここにおいて、前記インジケーションは、前記１つまたは複数のサブフレームの方向性割振りを動的に切り替える、と、
前記ＵＥによって、前記１つまたは複数のサブフレームについて前記セカンダリＳＰＳ動作を中断することと
を行うための前記少なくとも１つのプロセッサの構成をさらに備える、請求項２１に記載の装置。
【請求項２５】
前記インジケーションを受信することから、前記ｅＣＣ  ＳＣｅｌｌの単一の送信時間間隔（ＴＴＩ）の後、前記ＵＥによって、前記セカンダリＳＰＳ動作を復帰させるための前記少なくとも１つのプロセッサの構成をさらに備える、
請求項２４に記載の装置。
【請求項２６】
前記１つまたは複数のセカンダリＳＰＳ許可のうちの１つまたは複数は、２つのステージの許可を備え、第１のステージの許可は、ＳＰＳ構成情報を含み、第２のステージの許可は、ＳＰＳ動作のためのリソースの割振りを含む、
請求項２１に記載の装置。
【請求項２７】
前記第２のステージの許可に基づいて、前記１つまたは複数のセカンダリＳＰＳ許可のうちの前記１つまたは複数のアクティブ化状態を決定することと、
前記第１のステージの許可に基づいて、アクティブ化されたＳＰＳ許可の１つまたは複数のパラメータへの変更を決定することと
のうちの１つまたは複数のための前記少なくとも１つのプロセッサの構成をさらに備える、請求項２６に記載の装置。
【請求項２８】
前記ＵＥによって、前記ＵＥのアップリンクデータバッファが空であると決定することと、
前記アップリンクデータバッファが空であるという前記決定に応答して、前記ＵＥによって、前記基地局に空バッファインジケーションを送信することと、
前記ＵＥにおいて、前記基地局から非アクティブ化信号を受信すること、ここにおいて、前記非アクティブ化信号が、前記セカンダリＳＰＳ動作を非アクティブ化する、と
を行うための前記少なくとも１つのプロセッサの構成をさらに備える、請求項２１に記載の装置。
【請求項２９】
送信するための前記少なくとも１つのプロセッサの前記構成は、
前記ＵＥによる送信のための競合ベースアップリンクリソースを識別することと、
前記ＵＥによって、前記識別された競合ベースアップリンクリソースを使用して、前記空バッファインジケーションを自律的に送信することと
を行うための前記少なくとも１つのプロセッサの構成を含む、請求項２８に記載の装置。
【発明の詳細な説明】
【関連出願の相互参照】
【０００１】
[0001]本出願は、その全体が参照により本明細書に明確に組み込まれる、２０１４年１０月２４日に出願された「MAC ENHANCEMENTS FOR ECC OPERATION IN LTE」と題する米国仮特許出願第６２／０６８，３５５号、および２０１５年９月２５日に出願された「MAC ENHANCEMENTS FOR CONCURRENT LEGACY AND ECC OPERATION」と題する米国実用特許出願第１４／８６６，０１０号の利益を主張する。
【技術分野】
【０００２】
[0002]本開示の態様は、一般にワイヤレス通信システムに関し、より詳細には、コンカレントなレガシーおよび拡張コンポーネントキャリア（ｅＣＣ：enhanced component carrier）動作のためのメディアアクセス制御（ＭＡＣ）拡張に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常、多元接続ネットワークである、そのようなネットワークは、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
[0007]本開示の一態様では、ワイヤレス通信の方法は、ユーザ機器（ＵＥ）において基地局から、ＵＥのために構成されたプライマリセル（ＰＣｅｌｌ）上のプライマリ半永続的スケジューリング（ＳＰＳ）動作のためのプライマリＳＰＳネットワーク識別子の構成を受信することと、ＵＥにおいて基地局から、ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信することと、ここにおいて、セカンダリＳＰＳ動作がプライマリＳＰＳ動作とは独立している、ＵＥによって、プライマリＳＰＳネットワーク識別子を使用して、プライマリＳＰＳ動作に関連する１つまたは複数のプライマリＳＰＳ許可をモニタすることと、ＵＥによって、セカンダリＳＰＳネットワーク識別子を使用して、セカンダリＳＰＳ動作に関連する１つまたは複数のセカンダリＳＰＳ許可をモニタすることとを含む。
【０００８】
[0008]本開示の追加の態様では、ワイヤレス通信の方法は、ＵＥによって、ＵＥのために構成されたＰＣｅｌｌに関連するプライマリ間欠受信（ＤＲＸ）サイクルのプライマリスリープ期間に入ることと、ここにおいて、プライマリスリープ期間が、ＵＥを、ＰＣｅｌｌをモニタすることを停止するようにトリガする、ＵＥによって、ＵＥのために構成されたｅＣＣ  ＰＣｅｌｌに関連するセカンダリＤＲＸサイクルのセカンダリスリープ期間に入ることと、ここで、セカンダリスリープ期間が、ＵＥを、ｅＣＣ  ＳＣｅｌｌをモニタすることを停止するようにトリガし、セカンダリＤＲＸサイクルが、プライマリＤＲＸサイクルから独立しており、セカンダリスリープ期間が、プライマリスリープ期間よりも短い持続時間など、プライマリスリープ期間とは異なる持続時間のものである、を含む。本方法は、ＵＥによって、プライマリスリープ期間の後、ＰＣｅｌｌ上の、およびセカンダリスリープ期間の後、ｅＣＣ  ＳＣｅｌｌ上のダウンリンク制御チャネルをアクティブにモニタすることをさらに含む。
【０００９】
[0009]本開示の追加の態様では、ワイヤレス通信のために構成された装置は、ＵＥにおいて基地局から、ＵＥのために構成されたＰＣｅｌｌ上のプライマリＳＰＳ動作のためのプライマリＳＰＳネットワーク識別子の構成を受信するための手段と、ＵＥにおいて基地局から、ＵＥのために構成されたｅＣＣ  ＳＣｅｌｌ上の第２のＳＰＳ動作のためのセカンダリＳＰＳネットワーク識別子の構成を受信するための手段と、ここにおいて、セカンダリＳＰＳ動作がプライマリＳＰＳ動作とは独立している、ＵＥによって、プライマリＳＰＳネットワーク識別子を使用して、プライマリＳＰＳ動作に関連する１つまたは複数のプライマリＳＰＳ許可をモニタするための手段と、ＵＥによって、セカンダリＳＰＳネットワーク識別子を使用して、セカンダリＳＰＳ動作に関連する１つまたは複数のセカンダリＳＰＳ許可をモニタするための手段とを含む。
【００１０】
[0010]本開示の追加の態様では、ワイヤレス通信のために構成された装置は、ＵＥによって、ＵＥのために構成されたＰＣｅｌｌに関連するプライマリＤＲＸサイクルのプライマリスリープ期間に入るための手段と、ここにおいて、プライマリスリープ期間が、ＵＥを、ＰＣｅｌｌをモニタすることを停止するようにトリガする、ＵＥによって、ＵＥのために構成されたｅＣＣ  ＰＣｅｌｌに関連するセカンダリＤＲＸサイクルのセカンダリスリープ期間に入るための手段と、ここで、セカンダリスリープ期間が、ＵＥを、ｅＣＣ  ＳＣｅｌｌをモニタすることを停止するようにトリガし、セカンダリＤＲＸサイクルが、プライマリＤＲＸサイクルから独立しており、セカンダリスリープ期間が、プライマリスリープ期間よりも短い持続時間など、プライマリスリープ期間とは異なる持続時間のものである、を含む。本装置は、ＵＥによって、プライマリスリープ期間の後、ＰＣｅｌｌ上の、およびセカンダリスリープ期間の後、ｅＣＣ  ＳＣｅｌｌ上のダウンリンク制御チャネルをアクティブにモニタするための手段をさらに含む。
【００１１】
[0011]本開示の追加の態様では、その上に記憶されたプログラムコードを有するコンピュータ可読媒体。このプログラムコードは、ＵＥにおいて基地局から、ＵＥのために構成されたＰＣｅｌｌ上のプライマリＳＰＳ動作のためのプライマリＳＰＳネットワーク識別子の構成を受信するためのコードと、ＵＥにおいて基地局から、ＵＥのために構成されたｅＣＣ  ＳＣｅｌｌ上の第２のＳＰＳ動作のためのセカンダリＳＰＳネットワーク識別子の構成を受信するためのコードと、ここにおいて、セカンダリＳＰＳ動作がプライマリＳＰＳ動作とは独立している、ＵＥによって、プライマリＳＰＳネットワーク識別子を使用して、プライマリＳＰＳ動作に関連する１つまたは複数のプライマリＳＰＳ許可をモニタするためのコードと、ＵＥによって、セカンダリＳＰＳネットワーク識別子を使用して、セカンダリＳＰＳ動作に関連する１つまたは複数のセカンダリＳＰＳ許可をモニタするためのコードとを含む。
【００１２】
[0012]本開示の追加の態様では、プログラムコードを記録したコンピュータ可読媒体。このプログラムコードは、ＵＥによって、ＵＥのために構成されたＰＣｅｌｌに関連するプライマリＤＲＸサイクルのプライマリスリープ期間に入るためのコードと、ここにおいて、プライマリスリープ期間が、ＵＥを、ＰＣｅｌｌをモニタすることを停止するようにトリガする、ＵＥによって、ＵＥのために構成されたｅＣＣ  ＰＣｅｌｌに関連するセカンダリＤＲＸサイクルのセカンダリスリープ期間に入るためのコードと、ここで、セカンダリスリープ期間が、ＵＥを、ｅＣＣ  ＳＣｅｌｌをモニタすることを停止するようにトリガし、セカンダリＤＲＸサイクルが、プライマリＤＲＸサイクルから独立しており、セカンダリスリープ期間が、プライマリスリープ期間よりも短い持続時間など、プライマリスリープ期間とは異なる持続時間のものである、を含む。プログラムコードは、ＵＥによって、プライマリスリープ期間の後、ＰＣｅｌｌ上の、およびセカンダリスリープ期間の後、ｅＣＣ  ＳＣｅｌｌ上のダウンリンク制御チャネルをアクティブにモニタするためのコードをさらに含む。
【００１３】
[0013]本開示の追加の態様では、装置は、少なくとも１つのプロセッサと、プロセッサに結合されたメモリとを含む。プロセッサは、ＵＥにおいて基地局から、ＵＥのために構成されたＰＣｅｌｌ上のプライマリＳＰＳ動作のためのプライマリＳＰＳネットワーク識別子の構成を受信することと、ＵＥにおいて基地局から、ＵＥのために構成されたｅＣＣ  ＳＣｅｌｌ上の第２のＳＰＳ動作のためのセカンダリＳＰＳネットワーク識別子の構成を受信することと、ここにおいて、セカンダリＳＰＳ動作がプライマリＳＰＳ動作とは独立している、ＵＥによって、プライマリＳＰＳネットワーク識別子を使用して、プライマリＳＰＳ動作に関連する１つまたは複数のプライマリＳＰＳ許可をモニタすることと、ＵＥによって、セカンダリＳＰＳネットワーク識別子を使用して、セカンダリＳＰＳ動作に関連する１つまたは複数のセカンダリＳＰＳ許可をモニタすることとを行うように構成される。
【００１４】
[0014]本開示の追加の態様では、装置は、少なくとも１つのプロセッサと、プロセッサに結合されたメモリとを含む。プロセッサは、ＵＥによって、ＵＥのために構成されたＰＣｅｌｌに関連するプライマリＤＲＸサイクルのプライマリスリープ期間に入ることと、ここにおいて、プライマリスリープ期間が、ＵＥを、ＰＣｅｌｌをモニタすることを停止するようにトリガする、ＵＥによって、ＵＥのために構成されたｅＣＣ  ＰＣｅｌｌに関連するセカンダリＤＲＸサイクルのセカンダリスリープ期間に入ることと、ここで、セカンダリスリープ期間が、ＵＥを、ｅＣＣ  ＳＣｅｌｌをモニタすることを停止するようにトリガし、セカンダリＤＲＸサイクルが、プライマリＤＲＸサイクルから独立しており、セカンダリスリープ期間が、プライマリスリープ期間よりも短い持続時間など、プライマリスリープ期間とは異なる持続時間のものである、を行うように構成される。プロセッサは、ＵＥによって、プライマリスリープ期間の後、ＰＣｅｌｌ上の、およびセカンダリスリープ期間の後、ｅＣＣ  ＳＣｅｌｌ上のダウンリンク制御チャネルをアクティブにモニタするようにさらに構成される。
【００１５】
[0015]本開示の追加の態様では、ワイヤレス通信の方法は、ＵＥによって、ＵＥのために構成されたＰＣｅｌｌに関連するプライマリ間欠受信（ＤＲＸ）サイクルのプライマリスリープ期間に入ることと、ここにおいて、プライマリスリープ期間が、ＵＥを、ＰＣｅｌｌをモニタすることを停止するようにトリガする、ＵＥによって、ＵＥのために構成されたｅＣＣ  ＰＣｅｌｌに関連するセカンダリＤＲＸサイクルのセカンダリスリープ期間に入ることと、ここで、セカンダリスリープ期間が、ＵＥを、ｅＣＣ  ＳＣｅｌｌをモニタすることを停止するようにトリガし、セカンダリＤＲＸサイクルが、プライマリＤＲＸサイクルから独立しており、セカンダリスリープ期間が、プライマリスリープ期間よりも短い持続時間など、プライマリスリープ期間とは異なる持続時間のものである、を含む。本方法は、ＵＥによって、プライマリスリープ期間の後、ＰＣｅｌｌ上の、およびセカンダリスリープ期間の後、ｅＣＣ  ＳＣｅｌｌ上のダウンリンク制御チャネルをアクティブにモニタすることと、ＵＥによって、ＰＣｅｌｌ上の動作のためのｅＣＣ  ＳＣｅｌｌのダウンリンク制御チャネル上で制御要素を受信することと、ＵＥによって、ｅＣＣ  ＳＣｅｌｌのダウンリンク制御チャネル上で受信された制御要素に基づいて、ＰＣｅｌｌおよび１つまたは複数のＳＣｅｌｌのうちの１つまたは複数に関連する動作を実行することとをさらに含む。
【００１６】
[0016]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【図面の簡単な説明】
【００１７】
[0017]本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図１】モバイル通信システムの一例を概念的に示すブロック図。
【図２】様々な実施形態による、認可および無認可スペクトル中でＬＴＥ（登録商標）をコンカレントに使用するときのキャリアアグリゲーションの一例を示す図。
【図３】本開示の一態様に従って構成された基地局／ｅＮＢおよびＵＥの設計を概念的に示すブロック図。
【図４】拡張コンポーネントキャリア（ｅＣＣ）送信ストリームを示すブロック図。
【図５】本開示の一態様に従って構成された通信ネットワークを示すブロック図。
【図６】本開示の一態様に従って構成されたｅＣＣセカンダリセル（ＳＣｅｌｌ）とＵＥとの間の送信ストリームを示すブロック図。
【図７】本開示の一態様を実装するために実行される例示的なブロックを示すブロック図。
【図８】本開示の一態様に従って構成されたプライマリセル（ＰＣｅｌｌ）およびｅＣＣ  ＳＣｅｌｌを示すブロック図。
【図９】本開示の一態様を実装するために実行される例示的なブロックを示すブロック図。
【図１０】本開示の態様に従って構成されたＵＥを示すブロック図。
【発明を実施するための形態】
【００１８】
[0028]添付の図面に関して以下に示す発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００１９】
[0029]事業者は、これまで、セルラーネットワークにおける輻輳の常に増加するレベルを軽減するために無認可スペクトルを使用するための主要な機構としてＷｉＦｉ（登録商標）を見てきた。しかしながら、無認可スペクトルを含むＬＴＥ／ＬＴＥ−Ａに基づくニューキャリアタイプ（ＮＣＴ：new carrier type）はキャリアグレードＷｉＦｉに適合し得るので、無認可スペクトルを用いるＬＴＥ／ＬＴＥ−ＡがＷｉＦｉの代替になる。無認可スペクトルを用いるＬＴＥ／ＬＴＥ−Ａは、ＬＴＥ概念を活用し得、無認可スペクトル中での効率的な動作を可能にすることと、規制要件を満たすこととのために、ネットワークまたはネットワークデバイスの物理レイヤ（ＰＨＹ）およびメディアアクセス制御（ＭＡＣ）態様にいくつかの変更を導入し得る。無認可スペクトルは、たとえば、６００メガヘルツ（ＭＨｚ）から６ギガヘルツ（ＧＨｚ）までにわたり得る。いくつかのシナリオでは、無認可スペクトルを用いるＬＴＥ／ＬＴＥ−ＡはＷｉＦｉよりも著しく良好に機能し得る。たとえば、全ＷｉＦｉ展開と比較される（単一または複数の事業者のための）無認可スペクトル展開を用いる全ＬＴＥ／ＬＴＥ−Ａ、または高密度スモールセル展開があるときの、無認可スペクトルを用いるＬＴＥ／ＬＴＥ−Ａは、ＷｉＦｉよりも著しく良好に機能し得る。無認可スペクトルを用いるＬＴＥ／ＬＴＥ−Ａは、無認可スペクトルを用いるＬＴＥ／ＬＴＥ−Ａが（単一または複数の事業者のために）ＷｉＦｉと混合されるときなど、他のシナリオにおいてＷｉＦｉよりも良好に機能し得る。
【００２０】
[0030]単一のサービスプロバイダ（ＳＰ）の場合、無認可スペクトルを用いるＬＴＥ／ＬＴＥ−Ａネットワークは、認可スペクトル上のＬＴＥネットワークと同期しているように構成され得る。しかしながら、複数のＳＰによって所与のチャネル上で展開される無認可スペクトルを用いるＬＴＥ／ＬＴＥ−Ａネットワークは、複数のＳＰにわたって同期しているように構成され得る。上記の特徴の両方を組み込むための１つの手法は、所与のＳＰのために、無認可スペクトルを用いないＬＴＥ／ＬＴＥ−Ａネットワークと、無認可スペクトルを用いるＬＴＥ／ＬＴＥ−Ａネットワークとの間で一定のタイミングオフセットを使用することを伴い得る。無認可スペクトルを用いるＬＴＥ／ＬＴＥ−Ａネットワークは、ＳＰのニーズに従ってユニキャストおよび／またはマルチキャストサービスを与え得る。その上、無認可スペクトルを用いるＬＴＥ／ＬＴＥ−Ａネットワークは、ＬＴＥセルが、無認可スペクトルを用いるＬＴＥ／ＬＴＥ−Ａセルのために、アンカーとして働き、関連するセル情報（たとえば、無線フレームタイミング、共通チャネル構成、システムフレーム番号またはＳＦＮなど）を与える、（認可支援アクセス（ＬＡＡ：licensed-assisted access）モードとしても知られる）ブートストラップモードで動作し得る。このモードでは、無認可スペクトルを用いないＬＴＥ／ＬＴＥ−Ａと、無認可スペクトルを用いるＬＴＥ／ＬＴＥ−Ａとの間に緊密な相互作用があり得る。たとえば、ブートストラップモードは、上記で説明した補足ダウンリンク（supplemental downlink）モードとキャリアアグリゲーションモードとをサポートし得る。無認可スペクトルを用いるＬＴＥ／ＬＴＥ−ＡネットワークのＰＨＹ−ＭＡＣレイヤは、無認可スペクトルを用いるＬＴＥ／ＬＴＥ−Ａネットワークが、無認可スペクトルを用いないＬＴＥネットワークとは無関係に動作する、スタンドアロンモードで動作し得る。この場合、たとえば、無認可スペクトルセルを用いる／用いないコロケートされたＬＴＥ／ＬＴＥ−ＡとのＲＬＣレベルアグリゲーション、あるいは複数のセルおよび／または基地局にわたるマルチフローに基づいて、無認可スペクトルを用いないＬＴＥと、無認可スペクトルを用いるＬＴＥ／ＬＴＥ−Ａとの間に緩い相互作用があり得る。
【００２１】
[0031]本明細書で説明する技法は、ＬＴＥに限定されず、ＣＤＭＡ、ＴＤＭＡ、ＦＤＭＡ、ＯＦＤＭＡ、ＳＣ−ＦＤＭＡ、および他のシステムなど、様々なワイヤレス通信システムのためにも使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【００２２】
[0032]したがって、以下の説明は、例を与えるものであり、特許請求の範囲に記載された範囲、適用可能性、または構成を限定するものではない。本開示の趣旨および範囲から逸脱することなく、説明される要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２３】
[0033]図１に、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００２４】
[0034]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００２５】
[0035]いくつかの例では、ワイヤレス通信システム１００はＬＴＥ／ＬＴＥ−Ａネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【００２６】
[0036]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００２７】
[0037]ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００２８】
[0038]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネル上で通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００２９】
[0039]ＵＥ１１５はワイヤレス通信システム１００全体にわたって分散され、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３０】
[0040]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、（たとえば、対スペクトルリソースを使用する）ＦＤＤ動作または（たとえば、不対スペクトルリソースを使用する）ＴＤＤ動作を使用して、双方向通信を送信し得る。ＦＤＤのためのフレーム構造（たとえば、フレーム構造タイプ１）とＴＤＤのためのフレーム構造（たとえば、フレーム構造タイプ２）とが定義され得る。
【００３１】
[0041]システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００３２】
[0042]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３３】
[0043]上記で説明したように、無認可スペクトルを用いるＬＴＥ／ＬＴＥ−Ａを使用することによって提供される容量オフロードから恩恵を受け得る一般的なサービスプロバイダは、ＬＴＥスペクトルを用いる旧来のモバイルネットワーク事業者（ＭＮＯ）である。ＭＮＯは、エンドユーザにサービスを販売し供給するのに必要なすべての要素を所有または支配するワイヤレス通信サービスのプロバイダである。これらのサービスプロバイダの場合、動作構成は、認可スペクトル上のＬＴＥプライマリコンポーネントキャリア（「ＰＣＣ」または「ＰＣｅｌｌ」）と無認可スペクトル上のＬＴＥセカンダリコンポーネントキャリア（「ＳＣＣ」または「ＳＣｅｌｌ」）とを使用するブートストラップモード（たとえば、補足ダウンリンク、キャリアアグリゲーション）を含み得る。
【００３４】
[0044]次に図２を参照すると、図２００は、様々な実施形態による、認可および無認可スペクトル中でＬＴＥをコンカレントに使用するときのキャリアアグリゲーションの一例を示す。図２００中のキャリアアグリゲーション方式は、ハイブリッドＦＤＤ−ＴＤＤキャリアアグリゲーションに対応し得る。このタイプのキャリアアグリゲーションは、図１のシステム１００の少なくとも一部において使用され得る。その上、このタイプのキャリアアグリゲーションは、それぞれ、図１の基地局１０５において、および／または図１のＵＥ１１５において使用され得る。
【００３５】
[0045]この例では、ＦＤＤ（ＦＤＤ−ＬＴＥ）がダウンリンク中でＬＴＥに関して実行され得、第１のＴＤＤ（ＴＤＤ１）が、無認可スペクトルを用いるＬＴＥ／ＬＴＥ−Ａに関して実行され得、第２のＴＤＤ（ＴＤＤ２）が認可スペクトルを用いるＬＴＥに関して実行され得、別のＦＤＤ（ＦＤＤ−ＬＴＥ）が認可スペクトルを用いるアップリンク中でＬＴＥに関して実行され得る。ＴＤＤ１は６：４のＤＬ：ＵＬ比を生じ、ＴＤＤ２についての比は７：３である。時間スケール上で、異なる有効ＤＬ：ＵＬ比は、３：１、１：３、２：２、３：１、２：２、および３：１である。この例は説明の目的で提示され、無認可スペクトルを用いるまたは用いないＬＴＥ／ＬＴＥ−Ａの動作を組み合わせる他のキャリアアグリゲーション方式があり得る。
【００３６】
[0046]図３に、図１中の基地局／ｅＮＢのうちの１つであり得る基地局／ｅＮＢ１０５および図１中のＵＥのうちの１つであり得るＵＥ１１５の設計のブロック図を示す。ｅＮＢ１０５はアンテナ３３４ａ〜３３４ｔを装備し得、ＵＥ１１５はアンテナ３５２ａ〜３５２ｒを装備し得る。ｅＮＢ１０５において、送信プロセッサ３２０が、データソース３１２からデータを受信し、コントローラ／プロセッサ３４０から制御情報を受信し得る。制御情報は、物理ブロードキャストチャネル（ＰＢＣＨ：physical broadcast channel）、物理制御フォーマットインジケータチャネル（ＰＣＦＩＣＨ：physical control format indicator channel）、物理ハイブリッド自動再送要求インジケータチャネル（ＰＨＩＣＨ：physical hybrid automatic repeat request indicator channel）、物理ダウンリンク制御チャネル（ＰＤＣＣＨ：physical downlink control channel）などのためのものであり得る。データは物理ダウンリンク共有チャネル（ＰＤＳＣＨ：physical downlink shared channel）などのためのものであり得る。送信プロセッサ３２０は、データシンボルおよび制御シンボルを取得するために、それぞれデータおよび制御情報を処理（たとえば、符号化およびシンボルマッピング）し得る。送信プロセッサ３２０はまた、たとえば、プライマリ同期信号（ＰＳＳ：primary synchronization signal）、セカンダリ同期信号（ＳＳＳ：secondary synchronization signal）、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームを変調器（ＭＯＤ）３３２ａ〜３３２ｔに与え得る。各変調器３３２は、（たとえば、ＯＦＤＭなどのための）それぞれの出力シンボルストリームを処理して、出力サンプルストリームを取得し得る。各変調器３３２はさらに、出力サンプルストリームを処理（たとえば、アナログへの変換、増幅、フィルタ処理、およびアップコンバート）して、ダウンリンク信号を取得し得る。変調器３３２ａ〜３３２ｔからのダウンリンク信号は、それぞれアンテナ３３４ａ〜３３４ｔを介して送信され得る。
【００３７】
[0047]ＵＥ１１５において、アンテナ３５２ａ〜３５２ｒは、ｅＮＢ１０５からダウンリンク信号を受信し得、受信信号をそれぞれ復調器（ＤＥＭＯＤ）３５４ａ〜３５４ｒに与え得る。各復調器３５４は、それぞれの受信信号を調整（たとえば、フィルタ処理、増幅、ダウンコンバート、およびデジタル化）して、入力サンプルを取得し得る。各復調器３５４はさらに、（たとえば、ＯＦＤＭなどのために）入力サンプルを処理して、受信シンボルを取得し得る。ＭＩＭＯ検出器３５６は、すべての復調器３５４ａ〜３５４ｒから受信シンボルを取得し、適用可能な場合は受信シンボルに対してＭＩＭＯ検出を実行し、検出シンボルを与え得る。受信プロセッサ３５８は、検出シンボルを処理（たとえば、復調、デインターリーブ、および復号）し、ＵＥ１１５のための復号されたデータをデータシンク３６０に与え、復号された制御情報をコントローラ／プロセッサ３８０に与え得る。
【００３８】
[0048]アップリンク上では、ＵＥ１１５において、送信プロセッサ３６４が、データソース３６２から（たとえば、物理アップリンク共有チャネル（ＰＵＳＣＨ：physical uplink shared channel）のための）データを受信し、処理し得、コントローラ／プロセッサ３８０から（たとえば、物理アップリンク制御チャネル（ＰＵＣＣＨ：physical uplink control channel）のための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコーディングされ、さらに（たとえば、ＳＣ−ＦＤＭなどのために）変調器３５４ａ〜３５４ｒによって処理され、ｅＮＢ１０５に送信され得る。ｅＮＢ１０５において、ＵＥ１１５からのアップリンク信号は、アンテナ３３４によって受信され、復調器３３２によって処理され、適用可能な場合はＭＩＭＯ検出器３３６によって検出され、ＵＥ１１５によって送られた復号されたデータと制御情報とを取得するために、受信プロセッサ３３８によってさらに処理され得る。プロセッサ３３８は、復号されたデータをデータシンク３３９に与え、復号された制御情報をコントローラ／プロセッサ３４０に与え得る。
【００３９】
[0049]コントローラ／プロセッサ３４０および３８０は、それぞれ、ｅＮＢ１０５およびＵＥ１１５における動作をインジケーションし得る。ｅＮＢ１０５におけるコントローラ／プロセッサ３４０ならびに／あるいは他のプロセッサおよびモジュールは、本明細書で説明する技法のための様々なプロセスを実行するか、またはその実行をインジケーションし得る。ＵＥ１１５におけるコントローラ／プロセッサ３８０ならびに／または他のプロセッサおよびモジュールはまた、図７および図９に示されている機能ブロック、および／または本明細書で説明する技法のための他のプロセスを実行するか、またはその実行をインジケーションし得る。メモリ３４２および３８２は、それぞれ、ｅＮＢ１０５およびＵＥ１１５のためのデータおよびプログラムコードを記憶し得る。スケジューラ３４４は、ダウンリンクおよび／またはアップリンク上でのデータ送信のためにＵＥをスケジュールし得る。
【００４０】
[0050]認可スペクトルと無認可スペクトルの両方を使用する様々な無線アクセスネットワークのための進化する技術およびアクセスとともに、より低いレイテンシと帯域幅におけるより多くのフレキシビリティとを達成するために、既存のキャリア構成に拡張を与えることが有利であり得る。拡張コンポーネントキャリア（ｅＣＣ）が、セカンダリセル（ＳＣｅｌｌ）またはセカンダリコンポーネントキャリア（ＳＣＣ）実装形態において使用するために定義される。そのようなｅＣＣの使用は、キャンプオンすべきＵＥのためにではなく、データ送信においてｅＣＣ動作が使用され得るように、無線リソース制御（ＲＲＣ）接続されたＵＥのために与えられ得る。ｅＣＣのために定義されるヌメロロジー（numerology）は、レイテンシを減少させるために、より短い送信時間間隔（ＴＴＩ）をサポートし得る。たとえば、ｅＣＣヌメロロジーは、単一のシンボルまたはシンボル期間のＴＴＩ長さをサポートし得る。したがって、ｅＣＣヌメロロジーは、既存のレガシーヌメロロジーと重複せず、レガシーヌメロロジーとの多重化をサポートしないであろう。
【００４１】
[0051]無認可スペクトルと認可スペクトルの両方に適用可能であるので、扱うべきｅＣＣ動作のための設計原理は、トラフィックに基づいて、短縮された直交周波数分割多重（ＯＦＤＭ）シンボル持続時間、より短いＴＴＩ、高速ＡＣＫ／ＮＡＫターンアラウンド、およびダウンリンクとアップリンクとの間の動的切替え、および異なるＵＥを用いた、新しいヌメロロジーを使用して達成され得る、広帯域幅（たとえば、６０ＭＨｚ、８０ＭＨｚ、１００ＭＨｚなど）スペクトル共有と低レイテンシとを含む。したがって、ｅＣＣ動作を用いたシステムは、トラフィック負荷のニーズに基づいて適応し得る。
【００４２】
[0052]より大きいレイテンシをサポートすることができるトラフィックの場合、より良好なスケジューリング決定、より複雑なコーディングまたは復号などを通して効率における利益が達成され得る。しかしながら、より大きいレイテンシをサポートすることができない少量のデータの場合、超高速応答時間を実装することは、よりレイテンシ敏感なデータをサポートすると同時に、効率を犠牲にし得る。したがって、効率とレイテンシとの間にトレードオフが存在する。
【００４３】
[0053]ｅＣＣのためのフレーム構造は、無線リソース管理（ＲＲＭ）測定、同期、チャネル状態情報（ＣＳＩ）フィードバック、ランダムアクセスチャネル（ＲＡＣＨ）、スケジューリング要求（ＳＲ）などを可能にするための、指定されたダウンリンクおよびアップリンクシンボルを含むＴＤＤフレーム構造に基づき得る。そのようなダウンリンクおよび更新指定は、ＲＲＣシグナリングによって構成され得る。また、ダウンリンクシンボルとアップリンクシンボルとの間の動的切替えが、動的許可によって決定され得る。したがって、無線フレーム全体のためのダウンリンクサブフレームおよびアップリンクサブフレームの数に関して予測する必要がないであろう。この動的フレーム構造は、現在のＬＴＥシステムよりも動的／フレキシブルであろう。
【００４４】
[0054]図４は、ｅＣＣ送信ストリーム４０を示すブロック図である。ＴＤＤ送信では、ｅＣＣ送信ストリーム４０は、各々が、アップリンクまたはダウンリンクなど、割り当てられた方向性割振りを有する、複数のサブフレームに分割される。ｅＣＣ送信ストリーム４０では、いくつかのサブフレーム４００は、アップリンク構成またはダウンリンク構成のいずれかにおいて方向的に固定であり、他のサブフレーム４０１は、トラフィック負荷が要求するように基地局によってアップリンクまたはダウンリンクに動的に変更され得る、動的サブフレームである。
【００４５】
[0055]ダウンリンクサブフレームとアップリンクサブフレームの間で動的に切り替えるとき、ガードシンボルは、ダウンリンクサブフレームの直後のアップリンクサブフレームの第１のシンボルが、ＵＥがアップリンクデータを送信することを予想しないガードシンボルとして構成され得るように定義され得ることに留意されたい。
【００４６】
[0056]ｅＣＣ動作は、減少させられたシンボル時間を用いてより高いキャリア周波数において動作するときに有用であり得る。これは、極めて短いレイテンシをも可能にし得る。本開示の様々な態様は、ｅＣＣセカンダリセル（ＳＣｅｌｌ）のための間欠受信（ＤＲＸ）、半永続的スケジューリング（ＳＰＳ）、およびアクティブ化／非アクティブ化プロシージャを与える。
【００４７】
[0057]ｅＣＣ動作では、メディアアクセス制御（ＭＡＣ）問題が、ｅＣＣ  ＳＣｅｌｌのＳＰＳ動作、ＤＲＸ動作、およびアクティブ化／非アクティブ化とともに生じる。ｅＣＣにおけるＳＰＳ動作について、新しいｅＣＣヌメロロジーは、ｅＣＣ  ＳＣｅｌｌ上の新しいＳＰＳプロシージャの導入につながるであろう。レガシーＳＰＳは、ミリ秒（ｍｓ）の時間グラニュラリティにおいて動作し、ＰＣｅｌｌは、レガシーＳＰＳの場合のように動作するままである。したがって、ｅＣＣ  ＳＣｅｌｌにおけるＳＰＳ動作の場合、ＰＣｅｌｌと同じＳＰＳ無線ネットワーク一時識別子（ＲＮＴＩ）を使用するか、またはＳＣｅｌｌのための新しいＲＮＴＩを定義するかのいずれかであり得る、異なるセル上での２つのＳＰＳプロシージャがある。しかしながら、使用されるＲＮＴＩにかかわらず、ＰＣｅｌｌのためのＳＰＳ構成とＳＣｅｌｌのためのＳＰＳ構成とは独立している。
【００４８】
[0058]図５は、本開示の一態様に従って構成された通信ネットワーク５０を示すブロック図である。ＵＥ５００は、基地局５０１および５０３によってサービスされる。基地局５０１は、認可スペクトルを介してＰＣｅｌｌ５０２を与え、基地局５０３は、無認可スペクトルを介してｅＣＣ  ＳＣｅｌｌ５０４を与える。基地局５０１と基地局５０３とは、バックホール５０５を介して互いの間で制御および他の通信を交換し得る。ＵＥ５００が基地局５０１および５０３のカバレージエリアに入るとき、ＵＥ５００は、ＰＣｅｌｌ５０２とｅＣＣ  ＳＣｅｌｌ５０４の両方のためのＳＰＳ  ＲＮＴＩの構成を受信する。したがって、様々なＳＰＳ許可が基地局５０１および５０３からＵＥ５００に与えられるので、ＵＥ５００は、ＳＰＳ許可をＰＣｅｌｌ５０２またはｅＣＣ  ＳＣｅｌｌ５０４のいずれかに関連付けるために、ＳＰＳ  ＲＮＴＩを使用する。
【００４９】
[0059]ｅＣＣ  ＳＣｅｌｌ５０４のためのＳＰＳ  ＲＮＴＩは、ＰＣｅｌｌ５０２のための同じＳＰＳ  ＲＮＴＩであり得、または、それは特にＳＣｅｌｌ  ＳＰＳ動作のための新たに定義されたＳＰＳ  ＲＮＴＩであり得る。ｅＣＣ  ＳＣｅｌｌ５０４のためのＳＰＳ  ＲＮＴＩがＰＣｅｌｌ５０２のためのＳＰＳ  ＲＮＴＩと同じであるとき、ＵＥ５００のＭＡＣレイヤは、ＳＰＳ許可がＰＣｅｌｌ５０２に関連するのかｅＣＣ  ＳＣｅｌｌ５０４に関連するのかを決定することが可能である。たとえば、ＳＰＳ  ＲＮＴＩは、ＵＥ５００が、基地局５０１または５０３のうちの１つからの受信された信号がＳＰＳ許可であるときを決定することを可能にし、その許可は、ＰＣｅｌｌまたはＳＣｅｌｌのいずれかに関連する。したがって、ＵＥ５００は、ＳＰＳ許可がどのキャリアに適用されるかを決定することが可能である。
【００５０】
[0060]図６は、本開示の一態様に従って構成されたｅＣＣ  ＳＣｅｌｌとＵＥとの間の送信ストリームを示すブロック図である。ＳＰＳ構成は、ダウンリンク／アップリンクサブフレームに固有である、ＳＰＳ許可中でシグナリングされる。したがって、時間６００において、ｅＣＣ  ＳＣｅｌｌ  ＳＰＳ動作が、たとえば、ＲＲＣシグナリングを使用して構成される。後続のＰＤＣＣＨ送信６０１および６０２において、ＵＥは、時間６００において与えられたｅＣＣ  ＳＰＳ構成に従って動作する。本開示の態様によれば、ｅＮＢが、時間６０３において、ダウンリンクからアップリンクに、またはアップリンクからダウンリンクにサブフレームを動的に切り替えるとき、ＳＰＳインスタンスは、動的に切り替えられるサブフレーム６０４のための新しい構成に適応するためにオーバーライドされる。しかしながら、ＳＰＳインスタンスのこのオーバーライディングは、元のｅＣＣ  ＳＰＳ許可を変更しない。ｅＣＣ  ＳＰＳ構成は、単一のＴＴＩの後、時間６０５において復帰させられる。次のスケジュールされたＰＤＣＣＨ送信６０６は、時間６００において構成されたｅＣＣ  ＳＰＳ動作に従って再び処理される。
【００５１】
[0061]ＳＰＳ許可は、マルチステージ許可プロセスにおいても行われ得る。第１のステージの許可では、ｅＮＢは、所与のＳＰＳインスタンスの過程にわたってあまり変化しないことがあるパラメータを構成する。たとえば、図６にも示されている代替態様では、時間６００におけるｅＣＣ  ＳＰＳ構成許可は、周期性、変調およびコーディング方式（ＭＳＣ）などの要素について、第１のステージの許可を与えた。ＳＰＳ動作がアクティブ化または非アクティブ化されるべきであるとき、第２のステージの許可は、ＳＰＳインスタンスのための実際のリソースを割り当て、ＳＰＳプロシージャをアクティブ化または非アクティブ化する。たとえば、時間６０７において、第２のステージのＳＰＳ許可は、ＳＰＳ動作のためのリソースを実際に割り振り、ＵＥは、ＰＤＣＣＨ６０１においてｅＣＣ  ＳＰＳ動作を開始し得る。
【００５２】
[0062]現在のＳＰＳ許可プロシージャ中に、ＵＥがそれのアップリンクデータバッファ中のすべてのアップリンクデータを送信したとき、ＵＥは、ＳＰＳ割振りの残りのためのパディングまたはダミーデータを送信する。ｅＣＣ中で動作するとき、ＵＥ５００（図５）のような、ＵＥは、代わりに、アップリンクデータバッファが空であるとき、基地局５０３におよび空バッファインジケーションを送信し得る。ＵＥ５００は、競合ベースリソース上で（たとえば、競合ベースＰＵＳＣＨ上などで）任意の時間にそのようなインジケータを送り得る。基地局５０３は、次いで、インジケーションの受信時にｅＣＣ  ＳＣｅｌｌ５０４上のＳＰＳ割当てを非アクティブ化し得る。
【００５３】
[0063]図７は、本開示の一態様を実装するために実行される例示的なブロックを示すブロック図である。本開示の態様について、図１０に示されているような例示的なＵＥに関して説明する。図１０は、本開示の様々な態様に従って構成されたＵＥ１０００を示すブロック図である。ＵＥ１０００は、ＵＥ１１５（図３）に関して説明したような、ハードウェア、構成要素、特徴、および機能を含む。たとえば、ＵＥ１０００は、ＵＥ１０００の特徴および機能を定義する実行環境を生成するための、メモリ３８２に記憶された論理コードを実行するように動作するコントローラ／プロセッサ３８０を含む。その上、コントローラ／プロセッサ３８０は、図３に示されている構成要素など、ＵＥ１０００の他のハードウェアおよび構成要素の動作を制御する。ワイヤレス無線機１００１ａ〜ｎは、図３に示されているように、アンテナ３５２ａ〜ｒ、復調器／変調器３５４ａ〜ｒ、ＭＩＭＯ検出器３５６、および受信プロセッサ３５８、ならびにＴＸ  ＭＩＭＯプロセッサ３６６、および送信プロセッサ３６４などの構成要素を含み得る。
【００５４】
[0064]ブロック７００において、ＵＥ１０００など、ＵＥは、ＰＣｅｌｌ上のＳＰＳ動作のためのプライマリＳＰＳネットワーク識別子の構成情報を受信する。ＵＥ１０００は、プライマリＳＰＳネットワーク識別子１００２をメモリ３８２に記憶する。プライマリＳＰＳネットワーク識別子１００２は、ＵＥ１０００のために構成されたＰＣｅｌｌ上のＳＰＳ動作それのための、サービング基地局によってＵＥ１０００に割り当てられるＳＰＳ  ＲＮＴＩであり得る。
【００５５】
[0065]ブロック７０１において、ＵＥ１０００など、ＵＥは、ｅＣＣ  ＳＣｅｌｌ上のＳＰＳ動作のためのセカンダリＳＰＳネットワーク識別子をも受信する。ＵＥ１０００は、セカンダリＳＰＳネットワーク識別子１００３をメモリ３８２に記憶する。ｅＣＣ  ＳＣｅｌｌ上のＳＰＳ動作は、ＰＣｅｌｌのために構成されたＳＰＳ動作から別個であり、独立している。セカンダリＳＰＮネットワーク識別子１００３は、ＰＣｅｌｌ  ＳＰＳ  ＲＮＴＩなど、ＰＣｅｌｌのために使用される同じネットワーク識別子を含み得るか、または、それは、新たに定義されたｅＣＣ  ＳＣｅｌｌ  ＳＰＳ  ＲＮＴＩなど、ｅＣＣ  ＳＣｅｌｌ上の動作のために新たに定義された識別子であり得る。
【００５６】
[0066]ブロック７０２において、ＵＥ１０００など、ＵＥは、ＰＣｅｌｌ上のプライマリＳＰＳ動作に関連するプライマリＳＰＳ許可をモニタする。ＵＥは、アンテナ３５２ａ〜ｒを通して受信され、ワイヤレス無線機１００１ａ〜ｎを使用して復調され、復号された信号上のプライマリＳＰＳネットワーク識別子１００２を使用して、そのようなプライマリＳＰＳ許可をモニタする。たとえば、ＵＥは、基地局からの信号がＳＰＳ許可であるかどうか、およびその許可がＰＣｅｌｌに関連するかどうかを決定するために、ＰＣｅｌｌ  ＳＰＳネットワーク識別子、プライマリＳＰＳネットワーク識別子１００２、（たとえば、ＳＰＳ  ＲＮＴＩ）を使用し得る。
【００５７】
[0067]ブロック７０３において、ＵＥ１０００など、ＵＥは、ｅＣＣ  ＳＣｅｌｌ上のセカンダリＳＰＳ動作に関連するセカンダリＳＰＳ許可をモニタする。ＵＥ１０００は、アンテナ３５２ａ〜ｒを介して受信され、基地局からワイヤレス無線機１００１ａ〜ｎを使用して復調され、復号された信号がＳＰＳ許可であるかどうか、およびその許可がｅＣＣ  ＳＣｅｌｌに関連するかどうかを決定するために、セカンダリＳＰＳネットワーク識別子１００３を使用する。
【００５８】
[0068]新しいｅＣＣヌメロロジーがレガシーＬＴＥヌメロロジーと重複しないので、本開示の様々な態様は、ｅＣＣ  ＳＣｅｌｌ上の新しい間欠受信（ＤＲＸ）プロシージャの導入を与える。新しいｅＣＣヌメロロジーにおける、より短いターンアラウンド時間、より短いサイクル、およびより短い非アクティビティに適応するために、ＵＥは、ｅＣＣ上でマイクロスリープするように構成され、その間、ＵＥはより短い時間期間の間離調することを可能にされる。
【００５９】
[0069]ＬＴＥ無線リソース制御（ＲＲＣ）接続モードにおける基本ＤＲＸプロセスは、再送信にかかわらず、非アクティビティタイマー、およびオン持続時間タイマー、およびＤＲＸサイクル時間によって制御される。非アクティビティタイマーは、このＵＥのための初期アップリンクまたはダウンリンクユーザデータ送信を示す物理ダウンリンク制御チャネル（ＰＤＣＣＨ）を正常に復号した後の、連続する（１つまたは複数の）ＰＤＣＣＨサブフレームの数を指定する。オン持続時間タイマーは、ＤＲＸサイクルの最初の連続する（１つまたは複数の）ＰＤＣＣＨサブフレームの数を指定する。ＤＲＸサイクルは、オン持続時間の周期繰り返しを指定する。ＬＴＥにおける基本ＤＲＸプロセスでは、オン持続時間期間中に、ＵＥ側受信機は、ＰＤＣＣＨをモニタするために起動する。このＵＥのためのダウンリンク送信がない場合、それは、オン持続時間タイマーが満了した後直ちに、それの受信機をオフにし、スリープ期間に入る。初期アップリンクまたはダウンリンクデータ送信を示すＰＤＣＣＨが正常に復号された場合、ＵＥは、非アクティビティタイマーを開始することによって非アクティビティ期間に入り、その間、ＵＥの受信機は、可能なダウンリンクトラフィックについてＰＤＣＣＨをモニタするために、アウェイク状態に保つ。ＵＥが、非アクティビティタイマーが満了する前に新しいデータ送信を示すＰＤＣＣＨを受信した場合、非アクティビティタイマーは、受信機をアウェイク状態に保つために非アクティビティ期間を延長するために再開される。しかしながら、ＵＥが一定の時間期間の間ダウンリンクデータを有しない場合、非アクティビティタイマーは満了し、ＵＥは受信機を直ちにオフに切り替える。ＵＥは、次いで、次のオン持続時間の到来までスリーピングモードにとどまる。ダウンリンクパケットがスリープ期間中に到着した場合、基地局は、それらを一時的に記憶し、それらを次のオン持続時間期間においてＵＥに送る。ＤＲＸプロセスのアクティブ時間は、オン持続時間タイマーまたは非アクティビティタイマーのいずれかが動作している時間を含む、ＵＥがＰＤＣＣＨをモニタし続ける時間である。
【００６０】
[0070]さらに、本開示の態様は、ＰＣｅｌｌ  ＤＲＸ構成とは別個で異なる、ＳＣｅｌｌ固有のＤＲＸ構成を与える。レガシー動作では、ＳＣｅｌｌのＤＲＸ構成は、ＰＣｅｌｌのＤＲＸ構成に従うかまたは依存する。別個のＳＣｅｌｌ固有のＤＲＸ構成は、異なるセル上で独立して動作し、ＰＣｅｌｌとは別個のＤＲＸタイマーがＰＣｅｌｌ  ＤＲＸタイマーとは異なる指定された時間または期間を有することを含む。
【００６１】
[0071]図８は、本開示の一態様に従って構成されたＰＣｅｌｌ８００およびｅＣＣ  ＳＣｅｌｌ８０１を示すブロック図である。ＰＣｅｌｌ８００とｅＣＣ  ＳＣｅｌｌ８０１とは、特定のＵＥのために構成される。ｅＣＣ  ＳＣｅｌｌ８０１のＤＲＸ動作のためのタイマーおよびサイクル時間は、ＰＣｅｌｌ８００のＤＲＸ動作から別個であり独立している。たとえば、ＰＣｅｌｌ８００は、ＤＲＸサイクル８０２とオン持続時間期間８０３とを含む。オン持続時間期間８０３中に、ＰＤＣＣＨメッセージ８０４の第１の到着において開始し、ＵＥは、アクティブ時間を開始し、ＰＤＣＣＨメッセージ８０４をモニタし、受信し、復号する。ダウンリンク送信またはアップリンク送信のいずれかを示すＰＤＣＣＨが正常に復号されるたびに、非アクティビティタイマー８０５が開始または再開される。追加のＰＤＣＣＨメッセージを受信する前に非アクティビティタイマー８０５が満了するとき、ＵＥはスリープ期間に入る。
【００６２】
[0072]ｅＣＣ  ＳＣｅｌｌ８０１のＤＲＸ動作は、より短いＤＲＸサイクル８０６とより短いオン持続時間期間８０７とを有する。同様に、８０８の第１のＰＤＣＣＨメッセージがオン持続時間期間８０７中に到着するとき、ＵＥは、ｅＣＣ  ＳＣｅｌｌ上でアクティブ時間を開始し、ＰＤＣＣＨメッセージ８０８および８１０をモニタし、受信し、復号する。また、非アクティビティタイマー８０９は、ＰＣｅｌｌ８００の非アクティビティタイマー８０５それより短い持続時間である。非アクティビティタイマー８０９が、それぞれ、ＰＤＣＣＨメッセージ８０８および８１０の最後を受信した後に満了するとき、ＵＥは、ｅＣＣ  ＳＣｅｌｌ８０１のより短いスリープ期間に入る。
【００６３】
[0073]本開示の態様によるＳＣｅｌｌ  ｅＣＣ８０１の動作は、レイヤ２制御シグナリングなど、クロスキャリア制御シグナリングをもサポートし得る。ＰＣｅｌｌ８００を対象とするＭＡＣレベル制御要素（ＣＥ）は、ｅＣＣにおけるより低いレイテンシを利用するために、ｅＣＣ  ＳＣｅｌｌ８０１を介して送信され得る。たとえば、ＰＣｅｌｌ８００のためのＤＲＸコマンドは、ＰＤＣＣＨメッセージ８１０のうちの１つ中で、ｅＣＣ  ＳＣｅｌｌ８０１を介して送信され得る。例示的な一態様では、ＰＤＣＣＨメッセージ８１０中のＭＡＣ  ＣＥは、ＰＣｅｌｌ８００のための新しいＤＲＸサイクル期間８１１を与える。ＰＤＣＣＨメッセージ８１０中の新しいＤＲＸコマンドを受信した後、ＵＥは、ＰＣｅｌｌ８００に新しいＤＲＸサイクル期間８１１を適用する。バッファステータス報告、Ｃ−ＲＮＴＩ、ＵＥ競合解消識別情報、電力ヘッドルームＭＡＣ、拡張された電力ヘッドルーム、ＭＣＨスケジューリング情報など、他のＭＡＣ  ＣＥタイプが、ＰＣｅｌｌ８００上で使用するためにｅＣＣ  ＳＣｅｌｌ８０１を介して送信され得る。
【００６４】
[0074]図９は、本開示の一態様を実装するために実行される例示的なブロックを示すブロック図である。図９において識別される本開示の態様についても、図１０に示されている例示的なＵＥ、ＵＥ１０００に関して説明する。ブロック９００において、ＤＲＸ動作が、それの通信のために構成されたＰＣｅｌｌとｅＣＣ  ＳＣｅｌｌの両方とともに、ＵＥ１０００など、ＵＥにおいて開始する。図示されたブロックは、ＵＥ１０００による別個で独立したトラックにおいて動作する。
【００６５】
[0075]ブロック９０１において、ＤＲＸ動作の最初に、ＰＣｅｌｌに関連するプライマリＤＲＸサイクルのプライマリスリープ期間に入る。ＵＥ１０００は、メモリ３８２に記憶されたプライマリＤＲＸサイクル構成１００４を使用して、プライマリスリープ期間のためのそれのＤＲＸスリープ期間を管理する。別個に、ブロック９０２において、ＵＥ１０００など、ＵＥは、ｅＣＣ  ＳＣｅｌｌに関連するセカンダリＤＲＸサイクルのセカンダリスリープ期間に入る。ＵＥ１０００は、メモリ３８２に記憶されたセカンダリＤＲＸサイクル１００５構成を使用して、セカンダリスリープ期間のためのＤＲＸスリープ期間をも管理する。セカンダリＤＲＸサイクル構成１００５によって定義されるセカンダリスリープ期間は、プライマリＤＲＸサイクル構成１００４によって定義されるプライマリスリープ期間とは異なり、プライマリスリープ期間から独立して動作する。たとえば、セカンダリＤＲＸスリープ期間は、プライマリスリープ期間よりも短いかまたは長いことがある。
【００６６】
[0076]ブロック９０３において、プライマリスリープ期間が満了したかどうかの決定が行われる。プライマリスリープ期間は、次のオン持続時間期間がＰＣｅｌｌ  ＤＲＸサイクル内でスケジュールされるときに満了する。プライマリスリープ期間がまだ満了していない場合、ＵＥ１０００は眠っているままである。
【００６７】
[0077]プライマリスリープ期間が満了した場合、ブロック９０５において、プライマリオン持続時間期間が開始し、ＵＥ１０００など、ＵＥは、ダウンリンク制御チャネルについてＰＣｅｌｌをアクティブにモニタする。たとえば、ＵＥ１０００のワイヤレス無線機１００１ａ〜ｎ内の受信機は、ＰＣｅｌｌにアクティブに同調され、ＵＥ１０００は、ダウンリンクまたはアップリンク送信のインジケーションを含み得るＰＤＣＣＨをモニタする。
【００６８】
[0078]ブロック９０４において、セカンダリスリープ期間がｅＣＣ  ＳＣｅｌｌにおいて満了したかどうかの同様の決定が行われる。セカンダリスリープ期間がｅＣＣ  ＳＣｅｌｌにおいて満了していない場合、ＵＥ１０００は、ｅＣＣ  ＳＣｅｌｌに関して眠っているままである。
【００６９】
[0079]セカンダリスリープ期間が満了した場合、ブロック９０６において、セカンダリオン持続時間期間が開始し、ＵＥ１０００など、ＵＥは、ダウンリンク制御チャネルについてｅＣＣ  ＳＣｅｌｌをアクティブにモニタする。ＵＥ１０００は、ここで、ダウンリンクまたはアップリンク送信のインジケーションを含むｅＣＣ  ＳＣｅｌｌ上のどんなＰＤＣＣＨをもリッスンするために、ワイヤレス無線機１００１ａ〜ｎ内の受信機をｅＣＣ  ＳＣｅｌｌに同調させる。
【００７０】
[0080]ブロック９０７において、ダウンリンク情報またはアップリンク送信のインジケーションがＰＣｅｌｌ上で検出されるかどうかの決定が行われる。ダウンリンク情報またはアップリンク送信のインジケーションがＰＣｅｌｌ上で検出されない場合、ＵＥ１０００は、プライマリＤＲＸサイクル構成１００４に従ってプライマリスリープ期間に再び入る。
【００７１】
[0081]ダウンリンク情報またはアップリンク送信のインジケーションが検出された場合、ブロック９０９において、プライマリ非アクティビティタイマー１００６など、プライマリ非アクティビティタイマーが開始され、ブロック９１１において、この情報は復号され、またはＵＥは、それのデータのアップリンク送信のための準備をする。プライマリ非アクティビティタイマー１００６は、コントローラ／プロセッサ３８０の制御下で動作し、クロック構成要素１００８とともに動作され得る。クロック構成要素１００８は、電子デバイスに共通のハードウェア構成要素を使用して、タイミングおよびクロック機能を与える。
【００７２】
[0082]ブロック９０８において、ｅＣＣ  ＳＣｅｌｌに関して、ダウンリンク情報またはアップリンク送信のインジケーションがｅＣＣ  ＳＣｅｌｌ上で検出されるかどうかの決定が行われる。ダウンリンク情報またはアップリンク送信のインジケーションがｅＣＣ  ＳＣｅｌｌ上で検出されない場合、ＵＥ１０００は、セカンダリＤＲＸサイクル構成１００５に従ってセカンダリスリープ期間に再び入る。
【００７３】
[0083]ダウンリンク情報またはアップリンク送信のインジケーションがｅＣＣ  ＳＣｅｌｌ上で検出された場合、ブロック９１０において、セカンダリ非アクティビティタイマー１００７など、セカンダリ非アクティビティタイマーが開始され、ブロック９１１において、この情報は復号され、またはＵＥ１０００は、ｅＣＣ  ＳＣｅｌｌ上のそれのデータのアップリンク送信のための準備をする。セカンダリ非アクティビティタイマー１００７は、コントローラ／プロセッサ３８０の制御下で動作し、また、クロック構成要素１００８とともに動作され得る。
【００７４】
[0084]ブロック９１３において、次いで、プライマリ非アクティビティタイマー１００６の満了より前に、追加のダウンリンク情報またはアップリンク送信のインジケーションが検出されるかどうかの決定が行われる。そのような追加情報が検出された場合、ブロック９０９において、プライマリ非アクティビティタイマー１００６が再開され、追加情報は、ブロック９１１において復号される。追加のダウンリンク情報またはアップリンク送信のインジケーションが検出されない場合、ＵＥは、プライマリＤＲＸサイクル構成１００４に従って、ブロック９０１においてプライマリスリープモードに再び入る。
【００７５】
[0085]同様に、ブロック９１４において、セカンダリ非アクティビティタイマー１００７の満了より前に、追加のダウンリンク情報またはアップリンク送信のインジケーションがｅＣＣ  ＳＣｅｌｌを介して検出されるかどうかの決定が行われる。そのような追加情報が検出された場合、ブロック９１０において、セカンダリ非アクティビティタイマー１００７が再開され、追加情報は、ブロック９１２において復号される。追加のダウンリンク情報またはアップリンク送信のインジケーションが検出されない場合、ＵＥ１０００は、ブロック９０２において、セカンダリＤＲＸサイクル構成１００５に従って、ｅＣＣ  ＳＣｅｌｌ中でセカンダリスリープモードに再び入る。
【００７６】
[0086]新しいｅＣＣヌメロロジーは、ｅＣＣ  ＳＣｅｌｌの非アクティブ化のための新しいタイマーの作成をも促進する。レガシーヌメロロジーは、新しいｅＣＣヌメロロジーと重複しないので、レガシーＳＣｅｌｌタイマーは、新しいｅＣＣヌメロロジーの下で好適でない。したがって、本開示の態様は、レガシーＳＣｅｌｌが、より速い非アクティブ化プロシージャのためにｅＣＣ  ＳＣｅｌｌからアクティブ化または非アクティブ化され得ることを与える。
【００７７】
[0087]さらに、ｅＣＣ  ＳＣｅｌｌのアクティブ化および非アクティブ化はまた、ＳＣｅｌｌ構成メッセージを通して直接行われ得る。たとえば、ｅＣＣ  ＳＣｅｌｌは、ＲＲＣセル追加メッセージを介して直接アクティブ化され得る。したがって、ＳＣｅｌｌ追加メッセージは、所与のＵＥのためのｅＣＣ  ＳＣｅｌｌを追加または構成するためだけでなく、セルをアクティブ化するために追加のＭＡＣ制御を必要とすることなしにＳＣｅｌｌをアクティブ化するためにも使用され得る。
【００７８】
[0088]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７９】
[0089]図７および図９中の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００８０】
[0090]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、概してそれらの機能に関して上記で説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。当業者はまた、本明細書で説明した構成要素、方法、または相互作用の順序あるいは組合せは例にすぎないこと、および本開示の様々な態様の構成要素、方法、または相互作用は、本明細書で例示し、説明したもの以外の方法で組み合わせられるかまたは実行され得ることを容易に認識されよう。
【００８１】
[0091]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【００８２】
[0092]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００８３】
[0093]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００８４】
[0094]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）あるいはそれらの任意の組合せを意味するような選言的列挙を示す。
【００８５】
[0095]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2017536036.tif 000003
【図２】
2017536036.tif 000004
【図３】
2017536036.tif 000005
【図４】
2017536036.tif 000006
【図５】
2017536036.tif 000007
【図６】
2017536036.tif 000008
【図７】
2017536036.tif 000009
【図８】
2017536036.tif 000010
【図９】
2017536036.tif 000011
【図１０】
2017536036.tif 000012
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において基地局から、前記ＵＥのために構成されたプライマリセル（ＰＣｅｌｌ）上のプライマリ半永続的スケジューリング（ＳＰＳ）動作のためのプライマリＳＰＳネットワーク識別子の構成を受信することと、
前記ＵＥにおいて前記基地局から、前記ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信すること、ここにおいて、前記セカンダリＳＰＳ動作が前記プライマリＳＰＳ動作とは独立している、と、
前記ＵＥによって、前記プライマリＳＰＳネットワーク識別子を使用して、前記プライマリＳＰＳ動作に関連する１つまたは複数のプライマリＳＰＳ許可をモニタすることと、
前記ＵＥによって、前記セカンダリＳＰＳネットワーク識別子を使用して、前記セカンダリＳＰＳ動作に関連する１つまたは複数のセカンダリＳＰＳ許可をモニタすることと
を備え、前記ｅＣＣ  ＳＣｅｌｌの送信時間間隔（ＴＴＩ）は、前記ＰＣｅｌｌの別のＴＴＩよりも短く、前記ｅＣＣ  ＳＣｅｌｌは、ダウンリンクとアップリンクとの間の動的切替えを実行する、
方法。
【請求項２】
前記セカンダリＳＰＳネットワーク識別子は、前記プライマリＳＰＳネットワーク識別子を備え、１つまたは複数のセカンダリＳＰＳ許可を前記モニタすることは、
前記プライマリＳＰＳネットワーク識別子に基づいて、前記１つまたは複数のセカンダリＳＰＳ許可をＳＰＳ許可として識別することと、
前記１つまたは複数のセカンダリＳＰＳ許可が前記ｅＣＣ  ＳＣｅｌｌのために構成されることに基づいて、前記１つまたは複数のセカンダリＳＰＳ許可を、前記セカンダリＳＰＳ動作に関連するとして識別することと
を含む、請求項１に記載の方法。
【請求項３】
前記ＵＥにおいて前記基地局から、前記ｅＣＣ  ＳＣｅｌｌの１つまたは複数のサブフレームに関連するインジケーションを受信すること、ここにおいて、前記インジケーションは、前記１つまたは複数のサブフレームの方向性割振りを動的に切り替える、と、
前記ＵＥによって、前記１つまたは複数のサブフレームについて前記セカンダリＳＰＳ動作を中断することと
をさらに備える、請求項１に記載の方法。
【請求項４】
前記インジケーションを受信することから、前記ｅＣＣ  ＳＣｅｌｌの単一の送信時間間隔（ＴＴＩ）の後、前記ＵＥによって前記セカンダリＳＰＳ動作を復帰させることをさらに備える、
請求項３に記載の方法。
【請求項５】
前記１つまたは複数のセカンダリＳＰＳ許可のうちの１つまたは複数は、２つのステージの許可を備え、第１のステージの許可は、ＳＰＳ構成情報を含み、第２のステージの許可は、ＳＰＳ動作のためのリソースの割振りを含む、
請求項１に記載の方法。
【請求項６】
前記第２のステージの許可に基づいて、前記１つまたは複数のセカンダリＳＰＳ許可のうちの前記１つまたは複数のアクティブ化状態を決定することと、
前記第１のステージの許可に基づいて、アクティブ化されたＳＰＳ許可の１つまたは複数のパラメータへの変更を決定することと
のうちの１つまたは複数をさらに備える、請求項５に記載の方法。
【請求項７】
前記ＵＥによって、前記ＵＥのアップリンクデータバッファが空であると決定することと、
前記決定することに応答して、前記ＵＥによって、前記基地局に空バッファインジケーションを送信することと、
前記ＵＥにおいて、前記基地局から非アクティブ化信号を受信すること、ここにおいて、前記非アクティブ化信号は、前記セカンダリＳＰＳ動作を非アクティブ化する、と
をさらに備える、請求項１に記載の方法。
【請求項８】
前記送信することは、
前記ＵＥによる送信のための競合ベースアップリンクリソースを識別することと、
前記ＵＥによって、前記識別された競合ベースアップリンクリソースを使用して、前記空バッファインジケーションを自律的に送信することと
を含む、請求項７に記載の方法。
【請求項９】
ワイヤレス通信の方法であって、
ユーザ機器（ＵＥ）によって、前記ＵＥのために構成されたプライマリセル（ＰＣｅｌｌ）に関連するプライマリ間欠受信（ＤＲＸ）サイクルのプライマリスリープ期間に入ること、ここにおいて、前記プライマリスリープ期間は、前記ＵＥを、前記ＰＣｅｌｌをモニタすることを停止するようにトリガする、と、
前記ＵＥによって、前記ＵＥのために構成された拡張コンポーネントキャリア（ｅＣＣ）セカンダリセル（ＳＣｅｌｌ）に関連するセカンダリＤＲＸサイクルのセカンダリスリープ期間に入ること、
ここにおいて、前記セカンダリスリープ期間が、前記ＵＥを、前記ｅＣＣ  ＳＣｅｌｌをモニタすることを停止するようにトリガする、
ここにおいて、前記セカンダリＤＲＸサイクルが、前記プライマリＤＲＸサイクルから独立しており、
ここにおいて、前記セカンダリスリープ期間が、前記プライマリスリープ期間とは異なる持続時間のものである、と、
前記ＵＥによって、前記プライマリスリープ期間の後、前記ＰＣｅｌｌ上の、および前記セカンダリスリープ期間の後、前記ｅＣＣ  ＳＣｅｌｌ上のダウンリンク制御チャネルをアクティブにモニタすることと、
前記ＵＥによって、前記ＰＣｅｌｌ上の動作のための前記ｅＣＣ  ＳＣｅｌｌの前記ダウンリンク制御チャネル上で制御要素を受信することと、
前記ＵＥによって、前記ｅＣＣ  ＳＣｅｌｌの前記ダウンリンク制御チャネル上で受信された前記制御要素に基づいて、前記ＰＣｅｌｌおよび１つまたは複数のＳＣｅｌｌのうちの１つまたは複数に関連する動作を実行することと
を備える、方法。
【請求項１０】
前記ダウンリンク制御チャネルは、メディアアクセス制御（ＭＡＣ）レイヤチャネル、または物理レイヤチャネルのうちの１つを含む、
請求項９に記載の方法。
【請求項１１】
ワイヤレス通信のために構成された装置であって、
ユーザ機器（ＵＥ）において基地局から、前記ＵＥのために構成されたプライマリセル（ＰＣｅｌｌ）上のプライマリ半永続的スケジューリング（ＳＰＳ）動作のためのプライマリＳＰＳネットワーク識別子の構成を受信するための手段と、
前記ＵＥにおいて前記基地局から、前記ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信するための手段、ここにおいて、前記セカンダリＳＰＳ動作が前記プライマリＳＰＳ動作とは独立している、と、
前記ＵＥによって、前記プライマリＳＰＳネットワーク識別子を使用して、前記プライマリＳＰＳ動作に関連する１つまたは複数のプライマリＳＰＳ許可をモニタするための手段と、
前記ＵＥによって、前記セカンダリＳＰＳネットワーク識別子を使用して、前記セカンダリＳＰＳ動作に関連する１つまたは複数のセカンダリＳＰＳ許可をモニタするための手段と
を備え、前記ｅＣＣ  ＳＣｅｌｌの送信時間間隔（ＴＴＩ）は、前記ＰＣｅｌｌの別のＴＴＩよりも短く、前記ｅＣＣ  ＳＣｅｌｌは、ダウンリンクとアップリンクとの間の動的切替えを実行する、
装置。
【請求項１２】
前記セカンダリＳＰＳネットワーク識別子は、前記プライマリＳＰＳネットワーク識別子を備え、１つまたは複数のセカンダリＳＰＳ許可を前記モニタするための手段は、
前記プライマリＳＰＳネットワーク識別子に基づいて、前記１つまたは複数のセカンダリＳＰＳ許可をＳＰＳ許可として識別するための手段と、
前記１つまたは複数のセカンダリＳＰＳ許可が前記ｅＣＣ  ＳＣｅｌｌのために構成されることに基づいて、前記１つまたは複数のセカンダリＳＰＳ許可を、前記セカンダリＳＰＳ動作に関連するとして識別するための手段と
を含む、請求項１１に記載の装置。
【請求項１３】
前記ＵＥにおいて前記基地局から、前記ｅＣＣ  ＳＣｅｌｌの１つまたは複数のサブフレームに関連するインジケーションを受信するための手段、ここにおいて、前記インジケーションは、前記１つまたは複数のサブフレームの方向性割振りを動的に切り替える、と、
前記ＵＥによって、前記１つまたは複数のサブフレームについて前記セカンダリＳＰＳ動作を中断するための手段と
をさらに備える、請求項１１に記載の装置。
【請求項１４】
前記インジケーションを受信することから、前記ｅＣＣ  ＳＣｅｌｌの単一の送信時間間隔（ＴＴＩ）の後、前記ＵＥによって前記セカンダリＳＰＳ動作を復帰させるための手段をさらに備える、
請求項１３に記載の装置。
【請求項１５】
前記１つまたは複数のセカンダリＳＰＳ許可のうちの１つまたは複数は、２つのステージの許可を備え、ここにおいて、第１のステージの許可は、ＳＰＳ構成情報を含み、第２のステージの許可は、ＳＰＳ動作のためのリソースの割振りを含む、
請求項１１に記載の装置。
【請求項１６】
前記第２のステージの許可に基づいて、前記１つまたは複数のセカンダリＳＰＳ許可のうちの前記１つまたは複数のアクティブ化状態を決定するための手段と、
前記第１のステージの許可に基づいて、アクティブ化されたＳＰＳ許可の１つまたは複数のパラメータへの変更を決定するための手段と
のうちの１つまたは複数をさらに備える、請求項１５に記載の装置。
【請求項１７】
前記ＵＥによって、前記ＵＥのアップリンクデータバッファが空であると決定するための手段と、
前記決定するための手段に応答して、前記ＵＥによって、前記基地局に空バッファインジケーションを送信するための手段と、
前記ＵＥにおいて、前記基地局から非アクティブ化信号を受信するための手段、ここにおいて、前記非アクティブ化信号が、前記セカンダリＳＰＳ動作を非アクティブ化する、と、
をさらに備える、請求項１１に記載の装置。
【請求項１８】
前記送信するための手段は、
前記ＵＥによる送信のための競合ベースアップリンクリソースを識別するための手段と、
前記ＵＥによって、前記識別された競合ベースアップリンクリソースを使用して、前記空バッファインジケーションを自律的に送信するための手段と
を含む、請求項１７に記載の装置。
【請求項１９】
ワイヤレス通信のために構成された装置であって、前記装置は、
少なくとも１つのプロセッサと、
前記少なくとも１つのプロセッサに結合されたメモリと
を備え、
前記少なくとも１つのプロセッサは、
ユーザ機器（ＵＥ）において基地局から、前記ＵＥのために構成されたプライマリセル（ＰＣｅｌｌ）上のプライマリ半永続的スケジューリング（ＳＰＳ）動作のためのプライマリＳＰＳネットワーク識別子の構成を受信することと、
前記ＵＥにおいて前記基地局から、前記ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信すること、ここにおいて、前記セカンダリＳＰＳ動作は、前記プライマリＳＰＳ動作とは独立している、と、
前記ＵＥによって、前記プライマリＳＰＳネットワーク識別子を使用して、前記プライマリＳＰＳ動作に関連する１つまたは複数のプライマリＳＰＳ許可をモニタすることと、
前記ＵＥによって、前記セカンダリＳＰＳネットワーク識別子を使用して、前記セカンダリＳＰＳ動作に関連する１つまたは複数のセカンダリＳＰＳ許可をモニタすることと
を行うように構成され、前記ｅＣＣ  ＳＣｅｌｌの送信時間間隔（ＴＴＩ）は、前記ＰＣｅｌｌの別のＴＴＩよりも短く、前記ｅＣＣ  ＳＣｅｌｌは、ダウンリンクとアップリンクとの間の動的切替えを実行する、
装置。
【請求項２０】
前記セカンダリＳＰＳネットワーク識別子は、前記プライマリＳＰＳネットワーク識別子を備え、前記コンピュータに１つまたは複数のセカンダリＳＰＳ許可をモニタさせるためのプログラムコードは、
前記プライマリＳＰＳネットワーク識別子に基づいて、前記１つまたは複数のセカンダリＳＰＳ許可をＳＰＳ許可として識別することと、
前記１つまたは複数のセカンダリＳＰＳ許可が前記ｅＣＣ  ＳＣｅｌｌのために構成されることに基づいて、前記１つまたは複数のセカンダリＳＰＳ許可を、前記セカンダリＳＰＳ動作に関連するとして識別することと
を行うための前記少なくとも１つのプロセッサの構成を含む、請求項１９に記載の装置。
【請求項２１】
前記ＵＥにおいて前記基地局からの、前記ｅＣＣ  ＳＣｅｌｌの１つまたは複数のサブフレームに関連するインジケーションを受信すること、ここにおいて、前記インジケーションは、前記１つまたは複数のサブフレームの方向性割振りを動的に切り替える、と、
前記ＵＥによって、前記１つまたは複数のサブフレームについて前記セカンダリＳＰＳ動作を中断することと
を行うための前記少なくとも１つのプロセッサの構成をさらに備える、請求項１９に記載の装置。
【請求項２２】
前記インジケーションを受信することから、前記ｅＣＣ  ＳＣｅｌｌの単一の送信時間間隔（ＴＴＩ）の後、前記ＵＥによって、前記セカンダリＳＰＳ動作を復帰させるための前記少なくとも１つのプロセッサの構成をさらに備える、
請求項２１に記載の装置。
【請求項２３】
前記１つまたは複数のセカンダリＳＰＳ許可のうちの１つまたは複数は、２つのステージの許可を備え、第１のステージの許可は、ＳＰＳ構成情報を含み、第２のステージの許可は、ＳＰＳ動作のためのリソースの割振りを含む、
請求項１９に記載の装置。
【請求項２４】
前記第２のステージの許可に基づいて、前記１つまたは複数のセカンダリＳＰＳ許可のうちの前記１つまたは複数のアクティブ化状態を決定することと、
前記第１のステージの許可に基づいて、アクティブ化されたＳＰＳ許可の１つまたは複数のパラメータへの変更を決定することと
のうちの１つまたは複数のための前記少なくとも１つのプロセッサの構成をさらに備える、請求項２３に記載の装置。
【請求項２５】
前記ＵＥによって、前記ＵＥのアップリンクデータバッファが空であると決定することと、
前記アップリンクデータバッファが空であるという前記決定に応答して、前記ＵＥによって、前記基地局に空バッファインジケーションを送信することと、
前記ＵＥにおいて、前記基地局から非アクティブ化信号を受信すること、ここにおいて、前記非アクティブ化信号が、前記セカンダリＳＰＳ動作を非アクティブ化する、と
を行うための前記少なくとも１つのプロセッサの構成をさらに備える、請求項１９に記載の装置。
【請求項２６】
送信するための前記少なくとも１つのプロセッサの前記構成は、
前記ＵＥによる送信のための競合ベースアップリンクリソースを識別することと、
前記ＵＥによって、前記識別された競合ベースアップリンクリソースを使用して、前記空バッファインジケーションを自律的に送信することと
を行うための前記少なくとも１つのプロセッサの構成を含む、請求項２５に記載の装置。
【手続補正２】
【補正対象書類名】明細書
【補正対象項目名】００８５
【補正方法】変更
【補正の内容】
【００８５】
[0095]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
ワイヤレス通信の方法であって、
ユーザ機器（ＵＥ）において基地局から、前記ＵＥのために構成されたプライマリセル（ＰＣｅｌｌ）上のプライマリ半永続的スケジューリング（ＳＰＳ）動作のためのプライマリＳＰＳネットワーク識別子の構成を受信することと、
前記ＵＥにおいて前記基地局から、前記ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信すること、ここにおいて、前記セカンダリＳＰＳ動作が前記プライマリＳＰＳ動作とは独立している、と、
前記ＵＥによって、前記プライマリＳＰＳネットワーク識別子を使用して、前記プライマリＳＰＳ動作に関連する１つまたは複数のプライマリＳＰＳ許可をモニタすることと、
前記ＵＥによって、前記セカンダリＳＰＳネットワーク識別子を使用して、前記セカンダリＳＰＳ動作に関連する１つまたは複数のセカンダリＳＰＳ許可をモニタすることと
を備える、方法。
［Ｃ２］
前記ｅＣＣセカンダリセルの送信時間間隔（ＴＴＩ）は、前記ＰＣｅｌｌの前記ＴＴＩよりも短い、
［Ｃ１］に記載の方法。
［Ｃ３］
前記セカンダリＳＰＳネットワーク識別子は、前記プライマリＳＰＳネットワーク識別子を備え、１つまたは複数のセカンダリＳＰＳ許可を前記モニタすることは、
前記プライマリＳＰＳネットワーク識別子に基づいて、前記１つまたは複数のセカンダリＳＰＳ許可をＳＰＳ許可として識別することと、
前記１つまたは複数のセカンダリＳＰＳ許可が前記ｅＣＣ  ＳＣｅｌｌのために構成されることに基づいて、前記１つまたは複数のセカンダリＳＰＳ許可を、前記セカンダリＳＰＳ動作に関連するとして識別することと
を含む、［Ｃ１］に記載の方法。
［Ｃ４］
前記ＵＥにおいて前記基地局から、前記ｅＣＣ  ＳＣｅｌｌの１つまたは複数のサブフレームに関連するインジケーションを受信すること、ここにおいて、前記インジケーションは、前記１つまたは複数のサブフレームの方向性割振りを動的に切り替える、と、
前記ＵＥによって、前記１つまたは複数のサブフレームについて前記セカンダリＳＰＳ動作を中断することと
をさらに備える、［Ｃ１］に記載の方法。
［Ｃ５］
前記インジケーションを受信することから、前記ｅＣＣ  ＳＣｅｌｌの単一の送信時間間隔（ＴＴＩ）の後、前記ＵＥによって前記セカンダリＳＰＳ動作を復帰させることをさらに備える、
［Ｃ４］に記載の方法。
［Ｃ６］
前記１つまたは複数のセカンダリＳＰＳ許可のうちの１つまたは複数は、２つのステージの許可を備え、第１のステージの許可は、ＳＰＳ構成情報を含み、第２のステージの許可は、ＳＰＳ動作のためのリソースの割振りを含む、
［Ｃ１］に記載の方法。
［Ｃ７］
前記第２のステージの許可に基づいて、前記１つまたは複数のセカンダリＳＰＳ許可のうちの前記１つまたは複数のアクティブ化状態を決定することと、
前記第１のステージの許可に基づいて、アクティブ化されたＳＰＳ許可の１つまたは複数のパラメータへの変更を決定することと
のうちの１つまたは複数をさらに備える、［Ｃ６］に記載の方法。
［Ｃ８］
前記ＵＥによって、前記ＵＥのアップリンクデータバッファが空であると決定することと、
前記決定することに応答して、前記ＵＥによって、前記基地局に空バッファインジケーションを送信することと、
前記ＵＥにおいて、前記基地局から非アクティブ化信号を受信すること、ここにおいて、前記非アクティブ化信号は、前記セカンダリＳＰＳ動作を非アクティブ化する、と
をさらに備える、［Ｃ１］に記載の方法。
［Ｃ９］
前記送信することは、
前記ＵＥによる送信のための競合ベースアップリンクリソースを識別することと、
前記ＵＥによって、前記識別された競合ベースアップリンクリソースを使用して、前記空バッファインジケーションを自律的に送信することと
を含む、［Ｃ８］に記載の方法。
［Ｃ１０］
ワイヤレス通信の方法であって、
ユーザ機器（ＵＥ）によって、前記ＵＥのために構成されたプライマリセル（ＰＣｅｌｌ）に関連するプライマリ間欠受信（ＤＲＸ）サイクルのプライマリスリープ期間に入ること、ここにおいて、前記プライマリスリープ期間は、前記ＵＥを、前記ＰＣｅｌｌをモニタすることを停止するようにトリガする、と、
前記ＵＥによって、前記ＵＥのために構成された拡張コンポーネントキャリア（ｅＣＣ）セカンダリセル（ＳＣｅｌｌ）に関連するセカンダリＤＲＸサイクルのセカンダリスリープ期間に入ること、
ここにおいて、前記セカンダリスリープ期間が、前記ＵＥを、前記ｅＣＣ  ＳＣｅｌｌをモニタすることを停止するようにトリガする、
ここにおいて、前記セカンダリＤＲＸサイクルが、前記プライマリＤＲＸサイクルから独立しており、
ここにおいて、前記セカンダリスリープ期間が、前記プライマリスリープ期間とは異なる持続時間のものである、と、
前記ＵＥによって、前記プライマリスリープ期間の後、前記ＰＣｅｌｌ上の、および前記セカンダリスリープ期間の後、前記ｅＣＣ  ＳＣｅｌｌ上のダウンリンク制御チャネルをアクティブにモニタすることと、
前記ＵＥによって、前記ＰＣｅｌｌ上の動作のための前記ｅＣＣ  ＳＣｅｌｌの前記ダウンリンク制御チャネル上で制御要素を受信することと、
前記ＵＥによって、前記ｅＣＣ  ＳＣｅｌｌの前記ダウンリンク制御チャネル上で受信された前記制御要素に基づいて、前記ＰＣｅｌｌおよび１つまたは複数のＳＣｅｌｌのうちの１つまたは複数に関連する動作を実行することと
を備える、方法。
［Ｃ１１］
前記ダウンリンク制御チャネルは、メディアアクセス制御（ＭＡＣ）レイヤチャネル、または物理レイヤチャネルのうちの１つを含む、
［Ｃ１０］に記載の方法。
［Ｃ１２］
ワイヤレス通信のために構成された装置であって、
ユーザ機器（ＵＥ）において基地局から、前記ＵＥのために構成されたプライマリセル（ＰＣｅｌｌ）上のプライマリ半永続的スケジューリング（ＳＰＳ）動作のためのプライマリＳＰＳネットワーク識別子の構成を受信するための手段と、
前記ＵＥにおいて前記基地局から、前記ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信するための手段、ここにおいて、前記セカンダリＳＰＳ動作が前記プライマリＳＰＳ動作とは独立している、と、
前記ＵＥによって、前記プライマリＳＰＳネットワーク識別子を使用して、前記プライマリＳＰＳ動作に関連する１つまたは複数のプライマリＳＰＳ許可をモニタするための手段と、
前記ＵＥによって、前記セカンダリＳＰＳネットワーク識別子を使用して、前記セカンダリＳＰＳ動作に関連する１つまたは複数のセカンダリＳＰＳ許可をモニタするための手段と
を備える、装置。
［Ｃ１３］
前記ｅＣＣセカンダリセルの送信時間間隔（ＴＴＩ）が、前記ＰＣｅｌｌの前記ＴＴＩよりも短い、
［Ｃ１２］に記載の装置。
［Ｃ１４］
前記セカンダリＳＰＳネットワーク識別子は、前記プライマリＳＰＳネットワーク識別子を備え、１つまたは複数のセカンダリＳＰＳ許可を前記モニタするための手段は、
前記プライマリＳＰＳネットワーク識別子に基づいて、前記１つまたは複数のセカンダリＳＰＳ許可をＳＰＳ許可として識別するための手段と、
前記１つまたは複数のセカンダリＳＰＳ許可が前記ｅＣＣ  ＳＣｅｌｌのために構成されることに基づいて、前記１つまたは複数のセカンダリＳＰＳ許可を、前記セカンダリＳＰＳ動作に関連するとして識別するための手段と
を含む、［Ｃ１２］に記載の装置。
［Ｃ１５］
前記ＵＥにおいて前記基地局から、前記ｅＣＣ  ＳＣｅｌｌの１つまたは複数のサブフレームに関連するインジケーションを受信するための手段、ここにおいて、前記インジケーションは、前記１つまたは複数のサブフレームの方向性割振りを動的に切り替える、と、
前記ＵＥによって、前記１つまたは複数のサブフレームについて前記セカンダリＳＰＳ動作を中断するための手段と
をさらに備える、［Ｃ１２］に記載の装置。
［Ｃ１６］
前記インジケーションを受信することから、前記ｅＣＣ  ＳＣｅｌｌの単一の送信時間間隔（ＴＴＩ）の後、前記ＵＥによって前記セカンダリＳＰＳ動作を復帰させるための手段をさらに備える、
［Ｃ１５］に記載の装置。
［Ｃ１７］
前記１つまたは複数のセカンダリＳＰＳ許可のうちの１つまたは複数は、２つのステージの許可を備え、ここにおいて、第１のステージの許可は、ＳＰＳ構成情報を含み、第２のステージの許可は、ＳＰＳ動作のためのリソースの割振りを含む、
［Ｃ１２］に記載の装置。
［Ｃ１８］
前記第２のステージの許可に基づいて、前記１つまたは複数のセカンダリＳＰＳ許可のうちの前記１つまたは複数のアクティブ化状態を決定するための手段と、
前記第１のステージの許可に基づいて、アクティブ化されたＳＰＳ許可の１つまたは複数のパラメータへの変更を決定するための手段と
のうちの１つまたは複数をさらに備える、［Ｃ１７］に記載の装置。
［Ｃ１９］
前記ＵＥによって、前記ＵＥのアップリンクデータバッファが空であると決定するための手段と、
前記決定するための手段に応答して、前記ＵＥによって、前記基地局に空バッファインジケーションを送信するための手段と、
前記ＵＥにおいて、前記基地局から非アクティブ化信号を受信するための手段、ここにおいて、前記非アクティブ化信号が、前記セカンダリＳＰＳ動作を非アクティブ化する、と、
をさらに備える、［Ｃ１２］に記載の装置。
［Ｃ２０］
前記送信するための手段は、
前記ＵＥによる送信のための競合ベースアップリンクリソースを識別するための手段と、
前記ＵＥによって、前記識別された競合ベースアップリンクリソースを使用して、前記空バッファインジケーションを自律的に送信するための手段と
を含む、［Ｃ１９］に記載の装置。
［Ｃ２１］
ワイヤレス通信のために構成された装置であって、前記装置は、
少なくとも１つのプロセッサと、
前記少なくとも１つのプロセッサに結合されたメモリと
を備え、
前記少なくとも１つのプロセッサは、
ユーザ機器（ＵＥ）において基地局から、前記ＵＥのために構成されたプライマリセル（ＰＣｅｌｌ）上のプライマリ半永続的スケジューリング（ＳＰＳ）動作のためのプライマリＳＰＳネットワーク識別子の構成を受信することと、
前記ＵＥにおいて前記基地局から、前記ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信すること、ここにおいて、前記セカンダリＳＰＳ動作は、前記プライマリＳＰＳ動作とは独立している、と、
前記ＵＥによって、前記プライマリＳＰＳネットワーク識別子を使用して、前記プライマリＳＰＳ動作に関連する１つまたは複数のプライマリＳＰＳ許可をモニタすることと、
前記ＵＥによって、前記セカンダリＳＰＳネットワーク識別子を使用して、前記セカンダリＳＰＳ動作に関連する１つまたは複数のセカンダリＳＰＳ許可をモニタすることと
を行うように構成された、装置。
［Ｃ２２］
前記ｅＣＣセカンダリセルの前記送信時間間隔（ＴＴＩ）は、前記ＰＣｅｌｌの前記ＴＴＩよりも短い、
［Ｃ２１］に記載の装置。
［Ｃ２３］
前記セカンダリＳＰＳネットワーク識別子は、前記プライマリＳＰＳネットワーク識別子を備え、前記コンピュータに１つまたは複数のセカンダリＳＰＳ許可をモニタさせるためのプログラムコードは、
前記プライマリＳＰＳネットワーク識別子に基づいて、前記１つまたは複数のセカンダリＳＰＳ許可をＳＰＳ許可として識別することと、
前記１つまたは複数のセカンダリＳＰＳ許可が前記ｅＣＣ  ＳＣｅｌｌのために構成されることに基づいて、前記１つまたは複数のセカンダリＳＰＳ許可を、前記セカンダリＳＰＳ動作に関連するとして識別することと
を行うための前記少なくとも１つのプロセッサの構成を含む、［Ｃ２１］に記載の装置。
［Ｃ２４］
前記ＵＥにおいて前記基地局からの、前記ｅＣＣ  ＳＣｅｌｌの１つまたは複数のサブフレームに関連するインジケーションを受信すること、ここにおいて、前記インジケーションは、前記１つまたは複数のサブフレームの方向性割振りを動的に切り替える、と、
前記ＵＥによって、前記１つまたは複数のサブフレームについて前記セカンダリＳＰＳ動作を中断することと
を行うための前記少なくとも１つのプロセッサの構成をさらに備える、［Ｃ２１］に記載の装置。
［Ｃ２５］
前記インジケーションを受信することから、前記ｅＣＣ  ＳＣｅｌｌの単一の送信時間間隔（ＴＴＩ）の後、前記ＵＥによって、前記セカンダリＳＰＳ動作を復帰させるための前記少なくとも１つのプロセッサの構成をさらに備える、
［Ｃ２４］に記載の装置。
［Ｃ２６］
前記１つまたは複数のセカンダリＳＰＳ許可のうちの１つまたは複数は、２つのステージの許可を備え、第１のステージの許可は、ＳＰＳ構成情報を含み、第２のステージの許可は、ＳＰＳ動作のためのリソースの割振りを含む、
［Ｃ２１］に記載の装置。
［Ｃ２７］
前記第２のステージの許可に基づいて、前記１つまたは複数のセカンダリＳＰＳ許可のうちの前記１つまたは複数のアクティブ化状態を決定することと、
前記第１のステージの許可に基づいて、アクティブ化されたＳＰＳ許可の１つまたは複数のパラメータへの変更を決定することと
のうちの１つまたは複数のための前記少なくとも１つのプロセッサの構成をさらに備える、［Ｃ２６］に記載の装置。
［Ｃ２８］
前記ＵＥによって、前記ＵＥのアップリンクデータバッファが空であると決定することと、
前記アップリンクデータバッファが空であるという前記決定に応答して、前記ＵＥによって、前記基地局に空バッファインジケーションを送信することと、
前記ＵＥにおいて、前記基地局から非アクティブ化信号を受信すること、ここにおいて、前記非アクティブ化信号が、前記セカンダリＳＰＳ動作を非アクティブ化する、と
を行うための前記少なくとも１つのプロセッサの構成をさらに備える、［Ｃ２１］に記載の装置。
［Ｃ２９］
送信するための前記少なくとも１つのプロセッサの前記構成は、
前記ＵＥによる送信のための競合ベースアップリンクリソースを識別することと、
前記ＵＥによって、前記識別された競合ベースアップリンクリソースを使用して、前記空バッファインジケーションを自律的に送信することと
を行うための前記少なくとも１つのプロセッサの構成を含む、［Ｃ２８］に記載の装置。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において基地局から、前記ＵＥのために構成されたプライマリセル（ＰＣｅｌｌ）上のプライマリ半永続的スケジューリング（ＳＰＳ）動作のためのプライマリＳＰＳネットワーク識別子の構成を受信することと、
前記ＵＥにおいて前記基地局から、前記ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信すること、ここにおいて、前記セカンダリＳＰＳ動作が前記プライマリＳＰＳ動作とは独立している、と、
前記ＵＥによって、前記プライマリＳＰＳネットワーク識別子を使用して、前記プライマリＳＰＳ動作に関連する１つまたは複数のプライマリＳＰＳ許可をモニタすることと、
前記ＵＥによって、前記セカンダリＳＰＳネットワーク識別子を使用して、前記セカンダリＳＰＳ動作に関連する１つまたは複数のセカンダリＳＰＳ許可をモニタすることと
を備え、前記ｅＣＣ  ＳＣｅｌｌのシンボル期間持続時間は、前記ＰＣｅｌｌのシンボル期間持続時間よりも短く、単一のシンボルまたはシンボル期間のうちの少なくとも１つに対応する前記ｅＣＣ  ＳＣｅｌｌの送信時間間隔（ＴＴＩ）は、前記ＰＣｅｌｌの別のＴＴＩよりも短く、前記ｅＣＣ  ＳＣｅｌｌは、トラフィックに基づいて、ダウンリンクとアップリンクとの間の動的切替えを実行することによって、トラフィック負荷のニーズに基づいて適応する、
方法。
【請求項２】
前記セカンダリＳＰＳネットワーク識別子は、前記プライマリＳＰＳネットワーク識別子を備え、１つまたは複数のセカンダリＳＰＳ許可を前記モニタすることは、
前記プライマリＳＰＳネットワーク識別子に基づいて、前記１つまたは複数のセカンダリＳＰＳ許可をＳＰＳ許可として識別することと、
前記１つまたは複数のセカンダリＳＰＳ許可が前記ｅＣＣ  ＳＣｅｌｌのために構成されることに基づいて、前記１つまたは複数のセカンダリＳＰＳ許可を、前記セカンダリＳＰＳ動作に関連するとして識別することと
を含む、請求項１に記載の方法。
【請求項３】
前記ＵＥにおいて前記基地局から、前記ｅＣＣ  ＳＣｅｌｌの１つまたは複数のサブフレームに関連するインジケーションを受信すること、ここにおいて、前記インジケーションは、前記１つまたは複数のサブフレームの方向性割振りを動的に切り替える、と、
前記ＵＥによって、前記１つまたは複数のサブフレームについて前記セカンダリＳＰＳ動作を中断することと
をさらに備える、請求項１に記載の方法。
【請求項４】
前記インジケーションを受信することから、前記ｅＣＣ  ＳＣｅｌｌの単一の送信時間間隔（ＴＴＩ）の後、前記ＵＥによって前記セカンダリＳＰＳ動作を復帰させることをさらに備える、
請求項３に記載の方法。
【請求項５】
前記１つまたは複数のセカンダリＳＰＳ許可のうちの１つまたは複数は、２つのステージの許可を備え、第１のステージの許可は、ＳＰＳ構成情報を含み、第２のステージの許可は、ＳＰＳ動作のためのリソースの割振りを含む、
請求項１に記載の方法。
【請求項６】
前記第２のステージの許可に基づいて、前記１つまたは複数のセカンダリＳＰＳ許可のうちの前記１つまたは複数のアクティブ化状態を決定することと、
前記第１のステージの許可に基づいて、アクティブ化されたＳＰＳ許可の１つまたは複数のパラメータへの変更を決定することと
のうちの１つまたは複数をさらに備える、請求項５に記載の方法。
【請求項７】
前記ＵＥによって、前記ＵＥのアップリンクデータバッファが空であると決定することと、
前記決定することに応答して、前記ＵＥによって、前記基地局に空バッファインジケーションを送信することと、
前記ＵＥにおいて、前記基地局から非アクティブ化信号を受信すること、ここにおいて、前記非アクティブ化信号は、前記セカンダリＳＰＳ動作を非アクティブ化する、と
をさらに備える、請求項１に記載の方法。
【請求項８】
前記送信することは、
前記ＵＥによる送信のための競合ベースアップリンクリソースを識別することと、
前記ＵＥによって、前記識別された競合ベースアップリンクリソースを使用して、前記空バッファインジケーションを自律的に送信することと
を含む、請求項７に記載の方法。
【請求項９】
ワイヤレス通信の方法であって、
ユーザ機器（ＵＥ）によって、前記ＵＥのために構成されたプライマリセル（ＰＣｅｌｌ）に関連するプライマリ間欠受信（ＤＲＸ）サイクルのプライマリスリープ期間に入ること、ここにおいて、前記プライマリスリープ期間は、前記ＵＥを、前記ＰＣｅｌｌをモニタすることを停止するようにトリガする、と、
前記ＵＥによって、前記ＵＥのために構成された拡張コンポーネントキャリア（ｅＣＣ）セカンダリセル（ＳＣｅｌｌ）に関連するセカンダリＤＲＸサイクルのセカンダリスリープ期間に入ること、
ここにおいて、前記セカンダリスリープ期間が、前記ＵＥを、前記ｅＣＣ  ＳＣｅｌｌをモニタすることを停止するようにトリガする、
ここにおいて、前記セカンダリＤＲＸサイクルが、前記プライマリＤＲＸサイクルから独立しており、
ここにおいて、前記セカンダリスリープ期間が、前記プライマリスリープ期間とは異なる持続時間のものである、と、
前記ＵＥによって、前記プライマリスリープ期間の後、前記ＰＣｅｌｌ上の、および前記セカンダリスリープ期間の後、前記ｅＣＣ  ＳＣｅｌｌ上のダウンリンク制御チャネルをアクティブにモニタすることと、
前記ＵＥによって、前記ＰＣｅｌｌ上の動作のための前記ｅＣＣ  ＳＣｅｌｌの前記ダウンリンク制御チャネル上で制御要素を受信することと、
前記ＵＥによって、前記ｅＣＣ  ＳＣｅｌｌの前記ダウンリンク制御チャネル上で受信された前記制御要素に基づいて、前記ＰＣｅｌｌおよび１つまたは複数のＳＣｅｌｌのうちの１つまたは複数に関連する動作を実行することと
を備える、方法。
【請求項１０】
前記ダウンリンク制御チャネルは、メディアアクセス制御（ＭＡＣ）レイヤチャネル、または物理レイヤチャネルのうちの１つを含む、
請求項９に記載の方法。
【請求項１１】
ワイヤレス通信のために構成された装置であって、
ユーザ機器（ＵＥ）において基地局から、前記ＵＥのために構成されたプライマリセル（ＰＣｅｌｌ）上のプライマリ半永続的スケジューリング（ＳＰＳ）動作のためのプライマリＳＰＳネットワーク識別子の構成を受信するための手段と、
前記ＵＥにおいて前記基地局から、前記ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信するための手段、ここにおいて、前記セカンダリＳＰＳ動作が前記プライマリＳＰＳ動作とは独立している、と、
前記ＵＥによって、前記プライマリＳＰＳネットワーク識別子を使用して、前記プライマリＳＰＳ動作に関連する１つまたは複数のプライマリＳＰＳ許可をモニタするための手段と、
前記ＵＥによって、前記セカンダリＳＰＳネットワーク識別子を使用して、前記セカンダリＳＰＳ動作に関連する１つまたは複数のセカンダリＳＰＳ許可をモニタするための手段と
を備え、前記ｅＣＣ  ＳＣｅｌｌのシンボル期間持続時間は、前記ＰＣｅｌｌのシンボル期間持続時間よりも短く、単一のシンボルまたはシンボル期間のうちの少なくとも１つに対応する前記ｅＣＣ  ＳＣｅｌｌの送信時間間隔（ＴＴＩ）は、前記ＰＣｅｌｌの別のＴＴＩよりも短く、前記ｅＣＣ  ＳＣｅｌｌは、トラフィックに基づいて、ダウンリンクとアップリンクとの間の動的切替えを実行することによって、トラフィック負荷のニーズに基づいて適応する、
装置。
【請求項１２】
前記セカンダリＳＰＳネットワーク識別子は、前記プライマリＳＰＳネットワーク識別子を備え、１つまたは複数のセカンダリＳＰＳ許可を前記モニタするための手段は、
前記プライマリＳＰＳネットワーク識別子に基づいて、前記１つまたは複数のセカンダリＳＰＳ許可をＳＰＳ許可として識別するための手段と、
前記１つまたは複数のセカンダリＳＰＳ許可が前記ｅＣＣ  ＳＣｅｌｌのために構成されることに基づいて、前記１つまたは複数のセカンダリＳＰＳ許可を、前記セカンダリＳＰＳ動作に関連するとして識別するための手段と
を含む、請求項１１に記載の装置。
【請求項１３】
前記ＵＥにおいて前記基地局から、前記ｅＣＣ  ＳＣｅｌｌの１つまたは複数のサブフレームに関連するインジケーションを受信するための手段、ここにおいて、前記インジケーションは、前記１つまたは複数のサブフレームの方向性割振りを動的に切り替える、と、
前記ＵＥによって、前記１つまたは複数のサブフレームについて前記セカンダリＳＰＳ動作を中断するための手段と
をさらに備える、請求項１１に記載の装置。
【請求項１４】
前記インジケーションを受信することから、前記ｅＣＣ  ＳＣｅｌｌの単一の送信時間間隔（ＴＴＩ）の後、前記ＵＥによって前記セカンダリＳＰＳ動作を復帰させるための手段をさらに備える、
請求項１３に記載の装置。
【請求項１５】
前記１つまたは複数のセカンダリＳＰＳ許可のうちの１つまたは複数は、２つのステージの許可を備え、ここにおいて、第１のステージの許可は、ＳＰＳ構成情報を含み、第２のステージの許可は、ＳＰＳ動作のためのリソースの割振りを含む、
請求項１１に記載の装置。
【請求項１６】
前記第２のステージの許可に基づいて、前記１つまたは複数のセカンダリＳＰＳ許可のうちの前記１つまたは複数のアクティブ化状態を決定するための手段と、
前記第１のステージの許可に基づいて、アクティブ化されたＳＰＳ許可の１つまたは複数のパラメータへの変更を決定するための手段と
のうちの１つまたは複数をさらに備える、請求項１５に記載の装置。
【請求項１７】
前記ＵＥによって、前記ＵＥのアップリンクデータバッファが空であると決定するための手段と、
前記決定するための手段に応答して、前記ＵＥによって、前記基地局に空バッファインジケーションを送信するための手段と、
前記ＵＥにおいて、前記基地局から非アクティブ化信号を受信するための手段、ここにおいて、前記非アクティブ化信号が、前記セカンダリＳＰＳ動作を非アクティブ化する、と、
をさらに備える、請求項１１に記載の装置。
【請求項１８】
前記送信するための手段は、
前記ＵＥによる送信のための競合ベースアップリンクリソースを識別するための手段と、
前記ＵＥによって、前記識別された競合ベースアップリンクリソースを使用して、前記空バッファインジケーションを自律的に送信するための手段と
を含む、請求項１７に記載の装置。
【請求項１９】
ワイヤレス通信のために構成された装置であって、前記装置は、
少なくとも１つのプロセッサと、
前記少なくとも１つのプロセッサに結合されたメモリと
を備え、
前記少なくとも１つのプロセッサは、
ユーザ機器（ＵＥ）において基地局から、前記ＵＥのために構成されたプライマリセル（ＰＣｅｌｌ）上のプライマリ半永続的スケジューリング（ＳＰＳ）動作のためのプライマリＳＰＳネットワーク識別子の構成を受信することと、
前記ＵＥにおいて前記基地局から、前記ＵＥのために構成された拡張コンポーネントキャリア（ｅＣＣ）セカンダリセル（ＳＣｅｌｌ）上の第２のＳＰＳ動作のためのセカンダリＳＰＳネットワーク識別子の構成を受信すること、ここにおいて、前記セカンダリＳＰＳ動作は、前記プライマリＳＰＳ動作とは独立している、と、
前記ＵＥによって、前記プライマリＳＰＳネットワーク識別子を使用して、前記プライマリＳＰＳ動作に関連する１つまたは複数のプライマリＳＰＳ許可をモニタすることと、
前記ＵＥによって、前記セカンダリＳＰＳネットワーク識別子を使用して、前記セカンダリＳＰＳ動作に関連する１つまたは複数のセカンダリＳＰＳ許可をモニタすることと
を行うように構成され、前記ｅＣＣ  ＳＣｅｌｌのシンボル期間持続時間は、前記ＰＣｅｌｌのシンボル期間持続時間よりも短く、単一のシンボルまたはシンボル期間のうちの少なくとも１つに対応する前記ｅＣＣ  ＳＣｅｌｌの送信時間間隔（ＴＴＩ）は、前記ＰＣｅｌｌの別のＴＴＩよりも短く、前記ｅＣＣ  ＳＣｅｌｌは、トラフィックに基づいて、ダウンリンクとアップリンクとの間の動的切替えを実行することによって、トラフィック負荷のニーズに基づいて適応する、
装置。
【請求項２０】
前記セカンダリＳＰＳネットワーク識別子は、前記プライマリＳＰＳネットワーク識別子を備え、前記コンピュータに１つまたは複数のセカンダリＳＰＳ許可をモニタさせるためのプログラムコードは、
前記プライマリＳＰＳネットワーク識別子に基づいて、前記１つまたは複数のセカンダリＳＰＳ許可をＳＰＳ許可として識別することと、
前記１つまたは複数のセカンダリＳＰＳ許可が前記ｅＣＣ  ＳＣｅｌｌのために構成されることに基づいて、前記１つまたは複数のセカンダリＳＰＳ許可を、前記セカンダリＳＰＳ動作に関連するとして識別することと
を行うための前記少なくとも１つのプロセッサの構成を含む、請求項１９に記載の装置。
【請求項２１】
前記ＵＥにおいて前記基地局からの、前記ｅＣＣ  ＳＣｅｌｌの１つまたは複数のサブフレームに関連するインジケーションを受信すること、ここにおいて、前記インジケーションは、前記１つまたは複数のサブフレームの方向性割振りを動的に切り替える、と、
前記ＵＥによって、前記１つまたは複数のサブフレームについて前記セカンダリＳＰＳ動作を中断することと
を行うための前記少なくとも１つのプロセッサの構成をさらに備える、請求項１９に記載の装置。
【請求項２２】
前記インジケーションを受信することから、前記ｅＣＣ  ＳＣｅｌｌの単一の送信時間間隔（ＴＴＩ）の後、前記ＵＥによって、前記セカンダリＳＰＳ動作を復帰させるための前記少なくとも１つのプロセッサの構成をさらに備える、
請求項２１に記載の装置。
【請求項２３】
前記１つまたは複数のセカンダリＳＰＳ許可のうちの１つまたは複数は、２つのステージの許可を備え、第１のステージの許可は、ＳＰＳ構成情報を含み、第２のステージの許可は、ＳＰＳ動作のためのリソースの割振りを含む、
請求項１９に記載の装置。
【請求項２４】
前記第２のステージの許可に基づいて、前記１つまたは複数のセカンダリＳＰＳ許可のうちの前記１つまたは複数のアクティブ化状態を決定することと、
前記第１のステージの許可に基づいて、アクティブ化されたＳＰＳ許可の１つまたは複数のパラメータへの変更を決定することと
のうちの１つまたは複数のための前記少なくとも１つのプロセッサの構成をさらに備える、請求項２３に記載の装置。
【請求項２５】
前記ＵＥによって、前記ＵＥのアップリンクデータバッファが空であると決定することと、
前記アップリンクデータバッファが空であるという前記決定に応答して、前記ＵＥによって、前記基地局に空バッファインジケーションを送信することと、
前記ＵＥにおいて、前記基地局から非アクティブ化信号を受信すること、ここにおいて、前記非アクティブ化信号が、前記セカンダリＳＰＳ動作を非アクティブ化する、と
を行うための前記少なくとも１つのプロセッサの構成をさらに備える、請求項１９に記載の装置。
【請求項２６】
送信するための前記少なくとも１つのプロセッサの前記構成は、
前記ＵＥによる送信のための競合ベースアップリンクリソースを識別することと、
前記ＵＥによって、前記識別された競合ベースアップリンクリソースを使用して、前記空バッファインジケーションを自律的に送信することと
を行うための前記少なくとも１つのプロセッサの構成を含む、請求項２５に記載の装置。
【国際調査報告】
2017536036.tif 000013
2017536036.tif 000014
2017536036.tif 000015
2017536036.tif 000016
2017536036.tif 000017